(57)【要約】  本発明は、ハンドオーバのための方法及び機器を提供し、この方法は、ネットワーク機器が、端末機器が送信した測定信号を受信するステップと、このネットワーク機器がこの測定信号に基づき、この端末機器がハンドオーバを行う必要があるか否かを決定するステップと、を含む。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
2019535173.tif 000002
【特許請求の範囲】
【請求項１】
ネットワーク機器が、端末機器が送信した測定信号を受信するステップと、
前記ネットワーク機器が前記測定信号に基づき、前記端末機器がハンドオーバを行う必要があるか否かを決定するステップと、を含む
ことを特徴とするハンドオーバのための方法。
【請求項２】
前記ネットワーク機器が測定信号関連情報を取得するステップをさらに含み、前記測定信号関連情報は、前記測定信号に対応するパラメータの情報を指示するためのものであり、
ここで、前記ネットワーク機器が前記測定信号に基づき、前記端末機器がハンドオーバを行う必要があるか否かを決定するステップは、
前記ネットワーク機器が前記測定信号及び前記測定信号関連情報に基づき、前記端末機器がハンドオーバを行う必要があるか否かを決定するステップを含む
ことを特徴とする請求項１に記載の方法。
【請求項３】
前記ネットワーク機器が測定信号関連情報を取得するステップは、
前記ネットワーク機器が、前記端末機器が送信した前記測定信号関連情報を受信するステップを含む
ことを特徴とする請求項２に記載の方法。
【請求項４】
前記測定信号関連情報は送信電力情報を含み、前記送信電力情報は、前記ネットワーク機器が前記送信電力情報に基づいて前記測定信号の送信電力を決定するために使用され、
ここで、前記ネットワーク機器が測定信号関連情報を取得するステップは、
前記ネットワーク機器が前記送信電力情報を取得するステップを含む
ことを特徴とする請求項２又は３に記載の方法。
【請求項５】
前記送信電力情報は前記測定信号の送信電力の絶対値を含み、又は、
前記送信電力情報は前記測定信号の送信電力の初期送信電力に対するオフセットを含み、ここで、前記初期送信電力は、前記ネットワーク機器が前記端末機器のために構成した測定信号を送信するための電力であり、又は、
前記送信電力情報は前記端末機器の送信電力マージンを含む
ことを特徴とする請求項４に記載の方法。
【請求項６】
前記ネットワーク機器が前記送信電力情報を取得するステップは、
前記ネットワーク機器が、前記端末機器が上り制御チャネルを介して送信した上り情報を受信するステップを含み、前記上り情報には前記送信電力情報が含まれている
ことを特徴とする請求項４又は５に記載の方法。
【請求項７】
前記上り情報における予約情報ビットには前記送信電力情報が含まれ、又は、前記送信電力情報は送信電力のインデックス値である
ことを特徴とする請求項６に記載の方法。
【請求項８】
前記ネットワーク機器が前記送信電力情報を取得するステップは、
前記ネットワーク機器が、前記端末機器が送信したメディアアクセス制御の制御エレメントＭＡＣ  ＣＥを受信するステップを含み、前記ＭＡＣ  ＣＥには前記送信電力情報が含まれている
ことを特徴とする請求項４又は５に記載の方法。
【請求項９】
前記ネットワーク機器が前記送信電力情報を取得するステップは、
前記ネットワーク機器が前記測定信号又は測定信号のモードと送信電力との対応関係に基づき、前記送信電力情報を決定するステップを含む
ことを特徴とする請求項４又は５に記載の方法。
【請求項１０】
前記ネットワーク機器が前記測定信号又は前記測定信号のモードと送信電力との対応関係に基づき、前記送信電力情報を決定するステップは、
前記ネットワーク機器が前記測定信号又は前記測定信号のモードと送信電力のレベルとの対応関係に基づき、前記送信電力情報を決定するステップを含む
ことを特徴とする請求項９に記載の方法。
【請求項１１】
前記ネットワーク機器が前記測定信号又は前記測定信号のモードと送信電力のレベルとの対応関係に基づき、前記送信電力情報を決定するステップは、
前記ネットワーク機器が前記測定信号の送信ポートを決定し、前記ネットワーク機器が送信ポートと送信電力のレベルとの対応関係に基づき、前記送信電力情報を決定するステップ、又は、
前記ネットワーク機器が前記測定信号に対応する時間周波数リソースを決定し、前記ネットワーク機器が時間周波数リソースと送信電力のレベルとの対応関係に基づき、前記送信電力情報を決定するステップ、又は、
前記ネットワーク機器が前記測定信号に対応するコードワードを決定し、前記ネットワーク機器がコードワードと送信電力のレベルとの対応関係に基づき、前記送信電力情報を決定するステップを含む
ことを特徴とする請求項１０に記載の方法。
【請求項１２】
前記ネットワーク機器が前記測定信号及び前記測定信号関連情報に基づき、前記端末機器がハンドオーバを行う必要があるか否かを決定するステップは、
前記ネットワーク機器が前記測定信号及び前記測定信号関連情報に基づき、上り信号の信号品質を決定するステップと、
前記ネットワーク機器が前記信号品質に基づき、前記端末機器がハンドオーバを行う必要があるか否かを決定する、又は、前記ネットワーク機器が前記信号品質及び下りチャネルの性能に基づき、前記端末機器がハンドオーバを行う必要があるか否かを決定するステップと、を含む
ことを特徴とする請求項２〜１１のいずれか１項に記載の方法。
【請求項１３】
前記ネットワーク機器が、端末機器が送信した測定信号を受信する前に、
前記ネットワーク機器が前記端末機器に初期送信電力、送信電力のインデックス値、測定信号又は測定信号のモードと送信電力のレベルとの対応関係、及び送信電力情報と上り情報における予約情報ビットとの対応関係のうちの少なくとも１つの情報を送信するステップをさらに含む
ことを特徴とする請求項１〜１２のいずれか１項に記載の方法。
【請求項１４】
前記ネットワーク機器が前記端末機器に制御情報を送信するステップをさらに含み、前記制御情報は、前記端末機器が前記ネットワーク機器に測定信号及び／又は測定信号関連情報を送信するか否かを指示するためのものである
ことを特徴とする請求項１〜１３のいずれか１項に記載の方法。
【請求項１５】
端末機器が測定信号を生成するステップと、
前記端末機器がネットワーク機器に前記測定信号を送信するステップと、含む
ことを特徴とするハンドオーバのための方法。
【請求項１６】
前記端末機器が前記ネットワーク機器に測定信号関連情報を送信するステップをさらに含み、前記測定信号関連情報は、前記測定信号に対応するパラメータの情報を指示するためのものである
ことを特徴とする請求項１５に記載の方法。
【請求項１７】
前記測定信号関連情報は送信電力情報を含み、前記送信電力情報は、前記ネットワーク機器が前記送信電力情報に基づいて前記測定信号の送信電力を決定するために使用される
ことを特徴とする請求項１６に記載の方法。
【請求項１８】
前記送信電力情報は前記測定信号の送信電力の絶対値を含み、又は、
前記送信電力情報は前記測定信号の送信電力の初期送信電力に対するオフセットを含み、ここで、前記初期送信電力は、前記ネットワーク機器が前記端末機器のために構成した測定信号を送信するための電力であり、又は、
前記送信電力情報は前記端末機器の送信電力マージンを含む
ことを特徴とする請求項１７に記載の方法。
【請求項１９】
前記端末機器が前記ネットワーク機器に測定信号関連情報を送信するステップは、
前記端末機器が上り制御チャネルを介して上り情報を送信するステップを含み、前記上り情報には前記送信電力情報が含まれている
ことを特徴とする請求項１７又は１８に記載の方法。
【請求項２０】
前記上り情報における予約情報ビットには前記送信電力情報が含まれ、又は、前記送信電力情報は送信電力のインデックス値である
ことを特徴とする請求項１９に記載の方法。
【請求項２１】
前記端末機器が前記ネットワーク機器に測定信号関連情報を送信するステップは、
前記端末機器が前記ネットワーク機器にメディアアクセス制御の制御エレメントＭＡＣ  ＣＥを送信するステップを含み、前記ＭＡＣ  ＣＥには前記送信電力情報が含まれている
ことを特徴とする請求項１７又は１８に記載の方法。
【請求項２２】
前記端末機器が、前記ネットワーク機器が送信した初期送信電力、送信電力のインデックス値、測定信号又は測定信号のモードと送信電力のレベルとの対応関係、及び送信電力情報と上り情報における予約情報ビットとの対応関係のうちの少なくとも１つの情報を受信するステップをさらに含む
ことを特徴とする請求項１５〜２１のいずれか１項に記載の方法。
【請求項２３】
前記端末機器が、前記ネットワーク機器が送信した制御情報を受信するステップをさらに含み、前記制御情報は、前記端末機器が前記ネットワーク機器に測定信号及び／又は測定信号関連情報を送信するか否かを指示するためのものであり、
ここで、前記端末機器が前記ネットワーク機器に前記測定信号を送信するステップは、
前記制御情報が、前記端末機器が前記ネットワーク機器に測定信号を送信することを指示する場合、前記端末機器が前記ネットワーク機器に前記測定信号を送信するステップを含む
ことを特徴とする請求項１５〜２２のいずれか１項に記載の方法。
【請求項２４】
端末機器が送信した測定信号を受信するために使用される送受信モジュールと、
前記測定信号に基づき、前記端末機器がハンドオーバを行う必要があるか否かを決定するために使用される決定モジュールと、を備える
ことを特徴とするネットワーク機器。
【請求項２５】
前記決定モジュールは、また、
測定信号関連情報を取得するために使用され、前記測定信号関連情報は、前記測定信号に対応するパラメータの情報を指示するためのものであり、
ここで、前記測定信号に基づき、前記端末機器がハンドオーバを行う必要があるか否かを決定するには、前記決定モジュールは、具体的に、
前記測定信号及び前記測定信号関連情報に基づき、前記端末機器がハンドオーバを行う必要があるか否かを決定するために使用される
ことを特徴とする請求項２４に記載のネットワーク機器。
【請求項２６】
前記送受信モジュールは、また、
前記端末機器が送信した前記測定信号関連情報を受信するために使用される
ことを特徴とする請求項２５に記載のネットワーク機器。
【請求項２７】
前記測定信号関連情報は送信電力情報を含み、前記送信電力情報は、前記ネットワーク機器が前記送信電力情報に基づいて前記測定信号の送信電力を決定するために使用され、
ここで、前記決定モジュールは、具体的に、前記送信電力情報を取得するために使用される
ことを特徴とする請求項２５又は２６に記載のネットワーク機器。
【請求項２８】
前記送信電力情報は前記測定信号の送信電力の絶対値を含み、又は、
前記送信電力情報は前記測定信号の送信電力の初期送信電力に対するオフセットを含み、ここで、前記初期送信電力は、前記ネットワーク機器が前記端末機器のために構成した測定信号を送信するための電力であり、又は、
前記送信電力情報は前記端末機器の送信電力マージンを含む
ことを特徴とする請求項２７に記載のネットワーク機器。
【請求項２９】
前記送受信モジュールは、具体的に、
前記端末機器が上り制御チャネルを介して送信した上り情報を受信するために使用され、前記上り情報には前記送信電力情報が含まれている
ことを特徴とする請求項２７又は２８に記載のネットワーク機器。
【請求項３０】
前記上り情報における予約情報ビットには前記送信電力情報が含まれ、又は、前記送信電力情報は送信電力のインデックス値である
ことを特徴とする請求項２９に記載のネットワーク機器。
【請求項３１】
前記送受信モジュールは、具体的に、
前記端末機器が送信したメディアアクセス制御の制御エレメントＭＡＣ  ＣＥを受信するために使用され、前記ＭＡＣ  ＣＥには前記送信電力情報が含まれている
ことを特徴とする請求項２７又は２８に記載のネットワーク機器。
【請求項３２】
前記決定モジュールは、具体的に、
前記測定信号又は測定信号のモードと送信電力との対応関係に基づき、前記送信電力情報を決定するために使用される
ことを特徴とする請求項２７又は２８に記載のネットワーク機器。
【請求項３３】
前記決定モジュールは、具体的に、
前記測定信号又は前記測定信号のモードと送信電力のレベルとの対応関係に基づき、前記送信電力情報を決定するために使用される
ことを特徴とする請求項３２に記載のネットワーク機器。
【請求項３４】
前記決定モジュールは、具体的に、
前記測定信号の送信ポートを決定し、送信ポートと送信電力のレベルとの対応関係に基づき、前記送信電力情報を決定する、又は、
前記測定信号に対応する時間周波数リソースを決定し、時間周波数リソースと送信電力のレベルとの対応関係に基づき、前記送信電力情報を決定する、又は、
前記測定信号に対応するコードワードを決定し、コードワードと送信電力のレベルとの対応関係に基づき、前記送信電力情報を決定するために使用される
ことを特徴とする請求項３３に記載のネットワーク機器。
【請求項３５】
前記決定モジュールは、具体的に、
前記測定信号及び前記測定信号関連情報に基づき、上り信号の信号品質を決定し、
前記信号品質に基づき、前記端末機器がハンドオーバを行う必要があるか否かを決定する、又は、前記信号品質及び下りチャネルの性能に基づき、前記端末機器がハンドオーバを行う必要があるか否かを決定するために使用される
ことを特徴とする請求項２５〜３４のいずれか１項に記載のネットワーク機器。
【請求項３６】
前記送受信モジュールが、端末機器が送信した測定信号を受信する前に、前記送受信モジュールは、また、
前記端末機器に初期送信電力、送信電力のインデックス値、測定信号又は測定信号のモードと送信電力のレベルとの対応関係、及び送信電力情報と上り情報における予約情報ビットとの対応関係のうちの少なくとも１つの情報を送信するために使用される
ことを特徴とする請求項２４〜３５のいずれか１項に記載のネットワーク機器。
【請求項３７】
前記送受信モジュールは、また、
前記端末機器に制御情報を送信するために使用され、前記制御情報は、前記端末機器が前記ネットワーク機器に測定信号及び／又は測定信号関連情報を送信するか否かを指示するためのものである
ことを特徴とする請求項２４〜３６のいずれか１項に記載のネットワーク機器。
【請求項３８】
測定信号を生成するために使用される生成モジュールと、
ネットワーク機器に前記測定信号を送信するために使用される送受信モジュールと、を備える
ことを特徴とする端末機器。
【請求項３９】
前記送受信モジュールは、具体的に、
前記ネットワーク機器に測定信号関連情報を送信するために使用され、前記測定信号関連情報は、前記測定信号に対応するパラメータの情報を指示するためのものである
ことを特徴とする請求項３８に記載の端末機器。
【請求項４０】
前記測定信号関連情報は送信電力情報を含み、前記送信電力情報は、前記ネットワーク機器が前記送信電力情報に基づいて前記測定信号の送信電力を決定するために使用される
ことを特徴とする請求項３９に記載の端末機器。
【請求項４１】
前記送信電力情報は前記測定信号の送信電力の絶対値を含み、又は、
前記送信電力情報は前記測定信号の送信電力の初期送信電力に対するオフセットを含み、ここで、前記初期送信電力は、前記ネットワーク機器が前記端末機器のために構成した測定信号を送信するための電力であり、又は、
前記送信電力情報は前記端末機器の送信電力マージンを含む
ことを特徴とする請求項４０に記載の端末機器。
【請求項４２】
前記送受信モジュールは、また、
上り制御チャネルを介して上り情報を送信するために使用され、前記上り情報には前記送信電力情報が含まれている
ことを特徴とする請求項４０又は４１に記載の端末機器。
【請求項４３】
前記上り情報における予約情報ビットには前記送信電力情報が含まれ、又は、前記送信電力情報は送信電力のインデックス値である
ことを特徴とする請求項４２に記載の端末機器。
【請求項４４】
前記送受信モジュールは、具体的に、
前記ネットワーク機器にメディアアクセス制御の制御エレメントＭＡＣ  ＣＥを送信するために使用され、前記ＭＡＣ  ＣＥには前記送信電力情報が含まれている
ことを特徴とする請求項４０又は４１に記載の端末機器。
【請求項４５】
前記送受信モジュールは、また、
前記ネットワーク機器が送信した初期送信電力、送信電力のインデックス値、測定信号又は測定信号のモードと送信電力のレベルとの対応関係、及び送信電力情報と上り情報における予約情報ビットとの対応関係のうちの少なくとも１つの情報を受信するために使用される
ことを特徴とする請求項３８〜４４のいずれか１項に記載の端末機器。
【請求項４６】
前記送受信モジュールは、また、
前記ネットワーク機器が送信した制御情報を受信するために使用され、前記制御情報は、前記端末機器が前記ネットワーク機器に測定信号及び／又は測定信号関連情報を送信するか否かを指示するためのものであり、
ここで、前記ネットワーク機器に前記測定信号を送信するには、前記送受信モジュールは、具体的に、
前記制御情報が、前記端末機器が前記ネットワーク機器に測定信号を送信することを指示する場合、前記ネットワーク機器に前記測定信号を送信するために使用される
ことを特徴とする請求項３８〜４５のいずれか１項に記載の端末機器。
【発明の詳細な説明】
【技術分野】
【０００１】
本発明は、通信分野に関し、より詳細には、ハンドオーバのための方法及び機器に関する。
【背景技術】
【０００２】
ロングタームエボリューション（Ｌｏｎｇ  Ｔｅｒｍ  Ｅｖｏｌｕｔｉｏｎ、単に「ＬＴＥ」と称する）システムでは、端末機器が接続状態で移動するとき、端末機器は基地局の構成に応じて信号測定を行い、基地局が要求する条件に従って測定報告を行う。端末機器がハンドオーバする必要がある場合、元の基地局はターゲット基地局に端末機器のターゲット基地局にハンドオーバする必要があるベアラ情報等が含まれるハンドオーバ要求メッセージを送信する。ターゲット基地局は、ハンドオーバ要求メッセージを受信すると、ハンドオーバ要求を確認し、端末機器がこのターゲット基地局が属するセルで使用する必要があるランダムアクセスリソース等のハンドオーバ必要リソースを元の基地局が属する端末サービングセルを介して端末機器に送信する。端末機器は、対応するメッセージを受信した後、ターゲット基地局が属するセルと同期を確立してハンドオーバを完了する。
【０００３】
したがって、基地局は、端末機器が測定を行うように構成し、端末機器が測定後に対応する測定報告を行うように構成する必要があり、シグナリングオーバーヘッドが大きい。
【発明の概要】
【発明が解決しようとする課題】
【０００４】
本発明は、通信システムのシグナリングオーバーヘッドを節約し、通信リソースの利用率を向上できるハンドオーバのための方法及び機器を提供する。
【課題を解決するための手段】
【０００５】
第１の態様によれば、ハンドオーバのための方法が提供され、この方法は、ネットワーク機器が、端末機器が送信した測定信号を受信するステップと、このネットワーク機器がこの測定信号に基づき、この端末機器がハンドオーバを行う必要があるか否かを決定するステップと、を含む。
【０００６】
したがって、本発明の実施例に係るネットワーク機器は、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０００７】
第１の態様に関連して、第１の態様の第１の可能な実現形態では、この方法は、このネットワーク機器が測定信号関連情報を取得するステップをさらに含み、この測定信号関連情報は、この測定信号に対応するパラメータの情報を指示するためのものであり、
ここで、このネットワーク機器がこの測定信号に基づき、この端末機器がハンドオーバを行う必要があるか否かを決定するステップは、このネットワーク機器がこの測定信号及びこの測定信号関連情報に基づき、この端末機器がハンドオーバを行う必要があるか否かを決定するステップを含む。
【０００８】
第１の態様の第１の可能な実現形態に関連して、第１の態様の第２の可能な実現形態では、このネットワーク機器が測定信号関連情報を取得するステップは、このネットワーク機器が、この端末機器が送信したこの測定信号関連情報を受信するステップを含む。
【０００９】
第１の態様の第１又は第２の可能な実現形態に関連して、第１の態様の第３の可能な実現形態では、この測定信号関連情報は送信電力情報を含み、この送信電力情報は、このネットワーク機器がこの送信電力情報に基づいてこの測定信号の送信電力を決定するために使用され、ここで、このネットワーク機器が測定信号関連情報を取得するステップは、このネットワーク機器がこの送信電力情報を取得するステップを含む。
【００１０】
第１の態様の第３の可能な実現形態に関連して、第１の態様の第４の可能な実現形態では、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【００１１】
第１の態様の第３又は第４の可能な実現形態に関連して、第１の態様の第５の可能な実現形態では、このネットワーク機器がこの送信電力情報を取得するステップは、このネットワーク機器が、この端末機器が上り制御チャネルを介して送信した上り情報を受信するステップを含み、この上り情報にはこの送信電力情報が含まれている。
【００１２】
第１の態様の第５の可能な実現形態に関連して、第１の態様の第６の可能な実現形態では、この上り情報における予約情報ビットにはこの送信電力情報が含まれ、又は、この送信電力情報は送信電力のインデックス値である。
【００１３】
第１の態様の第３又は第４の可能な実現形態に関連して、第１の態様の第７の可能な実現形態では、このネットワーク機器がこの送信電力情報を取得するステップは、このネットワーク機器が、この端末機器が送信したメディアアクセス制御の制御エレメントＭＡＣ  ＣＥを受信するステップを含み、このＭＡＣ  ＣＥにはこの送信電力情報が含まれている。
【００１４】
第１の態様の第３又は第４の可能な実現形態に関連して、第１の態様の第８の可能な実現形態では、このネットワーク機器がこの送信電力情報を取得するステップは、このネットワーク機器がこの測定信号又は測定信号のモードと送信電力との対応関係に基づき、この送信電力情報を決定するステップを含む。
【００１５】
第１の態様の第８の可能な実現形態に関連して、第１の態様の第９の可能な実現形態では、このネットワーク機器がこの測定信号又はこの測定信号のモードと送信電力との対応関係に基づき、この送信電力情報を決定するステップは、このネットワーク機器がこの測定信号又はこの測定信号のモードと送信電力のレベルとの対応関係に基づき、この送信電力情報を決定するステップを含む。
【００１６】
第１の態様の第９の可能な実現形態に関連して、第１の態様の第１０の可能な実現形態では、このネットワーク機器がこの測定信号又はこの測定信号のモードと送信電力のレベルとの対応関係に基づき、この送信電力情報を決定するステップは、このネットワーク機器がこの測定信号の送信ポートを決定し、このネットワーク機器が送信ポートと送信電力のレベルとの対応関係に基づき、この送信電力情報を決定するステップ、又は、このネットワーク機器がこの測定信号に対応する時間周波数リソースを決定し、このネットワーク機器が時間周波数リソースと送信電力のレベルとの対応関係に基づき、この送信電力情報を決定するステップ、又は、このネットワーク機器がこの測定信号に対応するコードワードを決定し、このネットワーク機器がコードワードと送信電力のレベルとの対応関係に基づき、この送信電力情報を決定するステップを含む。
【００１７】
第１の態様の第１乃至第１０の可能な実現形態のうちのいずれか１つの可能な実現形態に関連して、第１の態様の第１１の可能な実現形態では、このネットワーク機器がこの測定信号及びこの測定信号関連情報に基づき、この端末機器がハンドオーバを行う必要があるか否かを決定するステップは、このネットワーク機器がこの測定信号及びこの測定信号関連情報に基づき、上り信号の信号品質を決定するステップと、このネットワーク機器がこの信号品質に基づき、この端末機器がハンドオーバを行う必要があるか否かを決定する、又は、このネットワーク機器がこの信号品質及び下りチャネルの性能に基づき、この端末機器がハンドオーバを行う必要があるか否かを決定するステップと、を含む。
【００１８】
第１の態様又は第１の態様の第１乃至第１１の可能な実現形態のうちのいずれか１つの可能な実現形態に関連して、第１の態様の第１２の可能な実現形態では、このネットワーク機器が、端末機器が送信した測定信号を受信する前に、この方法は、このネットワーク機器がこの端末機器に初期送信電力、送信電力のインデックス値、測定信号又は測定信号のモードと送信電力のレベルとの対応関係、及び送信電力情報と上り情報における予約情報ビットとの対応関係のうちの少なくとも１つの情報を送信するステップをさらに含む。
【００１９】
第１の態様又は第１の態様の第１乃至第１２の可能な実現形態のうちのいずれか１つの可能な実現形態に関連して、第１の態様の第１３の可能な実現形態では、この方法は、このネットワーク機器がこの端末機器に制御情報を送信するステップをさらに含み、この制御情報は、この端末機器がこのネットワーク機器に測定信号及び／又は測定信号関連情報を送信するか否かを指示するためのものである。
【００２０】
第２の態様によれば、ハンドオーバのための方法が提供され、この方法は、端末機器が測定信号を生成するステップと、この端末機器がネットワーク機器にこの測定信号を送信するステップと、含む。
【００２１】
したがって、本発明の実施例に係るハンドオーバのための方法は、端末機器がネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【００２２】
第２の態様に関連して、第２の態様の第１の可能な実現形態では、この方法は、この端末機器がこのネットワーク機器に測定信号関連情報を送信するステップをさらに含み、この測定信号関連情報は、この測定信号に対応するパラメータの情報を指示するためのものである。
【００２３】
第２の態様の第１の可能な実現形態に関連して、第２の態様の第２の可能な実現形態では、この測定信号関連情報は送信電力情報を含み、この送信電力情報は、このネットワーク機器がこの送信電力情報に基づいてこの測定信号の送信電力を決定するために使用される。
【００２４】
第２の態様の第２の可能な実現形態に関連して、第２の態様の第３の可能な実現形態では、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【００２５】
第２の態様の第２又は第３の可能な実現形態に関連して、第２の態様の第４の可能な実現形態では、この端末機器がこのネットワーク機器に測定信号関連情報を送信するステップは、この端末機器が上り制御チャネルを介して上り情報を送信するステップを含み、この上り情報にはこの送信電力情報が含まれている。
【００２６】
第２の態様の第４の可能な実現形態に関連して、第２の態様の第５の可能な実現形態では、この上り情報における予約情報ビットにはこの送信電力情報が含まれ、又は、この送信電力情報は送信電力のインデックス値である。
【００２７】
第２の態様の第２又は第３の可能な実現形態に関連して、第２の態様の第６の可能な実現形態では、この端末機器がこのネットワーク機器に測定信号関連情報を送信するステップは、この端末機器がこのネットワーク機器にメディアアクセス制御の制御エレメントＭＡＣ  ＣＥを送信するステップを含み、このＭＡＣ  ＣＥにはこの送信電力情報が含まれている。
【００２８】
第２の態様又は第２の態様の第１乃至第６の可能な実現形態のうちのいずれか１つの可能な実現形態に関連して、第２の態様の第７の可能な実現形態では、この方法は、この端末機器が、このネットワーク機器が送信した初期送信電力、送信電力のインデックス値、測定信号又は測定信号のモードと送信電力のレベルとの対応関係、及び送信電力情報と上り情報における予約情報ビットとの対応関係のうちの少なくとも１つの情報を受信するステップをさらに含む。
【００２９】
第２の態様又は第２の態様の第１乃至第６の可能な実現形態のうちのいずれか１つの可能な実現形態に関連して、第２の態様の第８の可能な実現形態では、この方法は、この端末機器が、このネットワーク機器が送信した制御情報を受信するステップをさらに含み、この制御情報は、この端末機器がこのネットワーク機器に測定信号及び／又は測定信号関連情報を送信するか否かを指示するためのものであり、
ここで、この端末機器がこのネットワーク機器にこの測定信号を送信するステップは、この制御情報が、この端末機器がこのネットワーク機器に測定信号を送信することを指示する場合、この端末機器がこのネットワーク機器にこの測定信号を送信するステップを含む。
【００３０】
第３の態様によれば、上記の第１の態様又は第１の態様の任意の可能な実現形態における方法を実行するためのネットワーク機器が提供される。具体的に、このネットワーク機器は、上記の第１の態様又は第１の態様の任意の可能な実現形態における方法を実行するための機能モジュールを備える。
【００３１】
第４の態様によれば、上記の第２の態様又は第２の態様の任意の可能な実現形態における方法を実行するための端末機器が提供される。具体的に、この端末機器は、上記の第２の態様又は第２の態様の任意の可能な実現形態における方法を実行するための機能モジュールを備える。
【００３２】
第５の態様によれば、ネットワーク機器が提供され、この機器は、プロセッサー、メモリ及び送受信器を備え、このプロセッサー、このメモリ及びこの送受信器はバスシステムを介して互いに接続され、このメモリは命令を記憶するために使用され、このプロセッサーはこのメモリに記憶された命令を実行することにより、この送受信器が情報を受信し、又は情報を送信するように制御し、これにより、このネットワーク機器が上記の第１の態様又は第１の態様の任意の可能な実現形態における方法を実行する。
【００３３】
第６の態様によれば、端末機器が提供され、この機器は、プロセッサー、メモリ及び送受信器を備え、このプロセッサー、このメモリ及びこの送受信器はバスシステムを介して互いに接続され、このメモリは命令を記憶するために使用され、このプロセッサーはこのメモリに記憶された命令を実行することにより、この送受信器が情報を受信し、又は情報を送信するように制御し、これにより、この端末機器が上記の第２の態様又は第２の態様の任意の可能な実現形態における方法を実行する。
【００３４】
第７の態様によれば、コンピュータプログラムを記憶するためのコンピュータ可読媒体が提供され、このコンピュータプログラムには、第１の態様又は第１の態様の任意の可能な実現形態における方法を実行するための命令が含まれる。
【００３５】
第８の態様によれば、コンピュータプログラムを記憶するためのコンピュータ可読媒体が提供され、このコンピュータプログラムには、第２の態様又は第２の態様の任意の可能な実現形態における方法を実行するための命令が含まれる。
【図面の簡単な説明】
【００３６】
以下、本発明の実施例に係る技術手段をさらに明瞭に説明するために、本発明の実施例に使用する必要がある図面に対して簡単に紹介する。なお、以下に説明される図面はただ本発明の一部の実施例に過ぎず、当業者の場合、創造的な労働を付与しない前提で、これらの図面によって他の図面を得ることができる。
【図１】本発明の実施例に係る通信方法に応用される通信システムの模式図である。
【図２】本発明の実施例に係るハンドオーバのための方法を示す概略フローチャートである。
【図３】本発明の別の実施例に係るハンドオーバのための方法の概略フローチャートである。
【図４】本発明のさらに別の実施例に係るハンドオーバのための方法の概略フローチャートである。
【図５】本発明のさらに別の実施例に係るハンドオーバのための方法の概略フローチャートである。
【図６】本発明の実施例に係るネットワーク機器の概略ブロック図である。
【図７】本発明の実施例に係る端末機器の概略ブロック図である。
【図８】本発明の別の実施例に係るネットワーク機器の概略ブロック図である。
【図９】本発明の別の実施例に係る端末機器の概略ブロック図である。
【発明を実施するための形態】
【００３７】
以下は、本発明の実施例に係る図面を参考しながら、本発明の実施例に係る技術手段をより明確且つ完全に説明し、説明されている実施例が、本発明の実施例の一部に過ぎず、全てではないことは明らかである。本発明の実施例に基づいて、当業者が創造的な労働を付与しない前提で得られた他の実施例の全ては、本発明の保護範囲に属する。
【００３８】
本発明の実施例の技術手段は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、単に「ＧＳＭ」と称する）システム、符号分割多元接続（Ｃｏｄｅ  Ｄｉｖｉｓｉｏｎ  Ｍｕｌｔｉｐｌｅ  Ａｃｃｅｓｓ、単に「ＣＤＭＡ」と称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、単に「ＷＣＤＭＡ」と称する）システム、汎用パケット無線サービス（Ｇｅｎｅｒａｌ  Ｐａｃｋｅｔ  Ｒａｄｉｏ  Ｓｅｒｖｉｃｅ、単に「ＧＰＲＳ」と称する）、ロングタームエボリューション（Ｌｏｎｇ  Ｔｅｒｍ  Ｅｖｏｌｕｔｉｏｎ、単に「ＬＴＥ」と称する）システム、ＬＴＥ周波数分割複信（Ｆｒｅｑｕｅｎｃｙ  Ｄｉｖｉｓｉｏｎ  Ｄｕｐｌｅｘ、単に「ＦＤＤ」と称する）システム、ＬＴＥ時分割複信（Ｔｉｍｅ  Ｄｉｖｉｓｉｏｎ  Ｄｕｐｌｅｘ、単に「ＴＤＤ」と称する）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、単に「ＵＭＴＳ」と称する）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、単に「ＷｉＭＡＸ」と称する）通信システム、５Ｇシステム、又は新しい無線（Ｎｅｗ  Ｒａｄｉｏ、単に「ＮＲ」と称する）システムのような様々な通信システムに適用されることが理解されるべきである。
【００３９】
本発明の実施例では、名詞「ネットワーク」及び「システム」は、しばしば互換的に使用されるが、当業者であれば、その意味が理解される。本発明の実施例に係る端末機器は、無線通信機能を有する様々なハンドヘルド機器、車載機器、ウェアラブル機器、計算機器又は無線モデムに接続される他の処理機器、及び様々な形のユーザ機器（Ｕｓｅｒ  Ｅｑｕｉｐｍｅｎｔ、単に「ＵＥ」と称する）、モバイルステーション（Ｍｏｂｉｌｅ  Ｓｔａｔｉｏｎ、単に「ＭＳ」と称する）、端末（Ｔｅｒｍｉｎａｌ）、端末機器（Ｔｅｒｍｉｎａｌ  Ｄｅｖｉｃｅ）等を含んでもよい。説明の便宜上、本発明の実施例では、上記で言及された機器を端末機器と総称する。
【００４０】
本発明の実施例では、ネットワーク機器は端末機器と通信するための機器であってもよく、このネットワーク機器は、ＬＴＥシステムにおける進化型基地局（Ｅｖｏｌｕｔｉｏｎａｌ  Ｎｏｄｅ  Ｂ、単に「ｅＮＢ」又は「ｅＮｏｄｅＢ」と称する）であってもよく、又はこのネットワーク機器は、中継局、アクセスポイント、車載機器、ウェアラブル機器、及び未来５Ｇネットワークにおけるネットワーク機器又は未来進化のＰＬＭＮネットワークにおけるネットワーク機器等であってもよい。
【００４１】
本発明の実施例に係るハンドオーバは、ＵＥが接続状態で、異なるセル間で移動するため、ＵＥが幾つかのシグナリングを介してＵＥのコンテキストの入れ替え及び更新を完了することを指していることが理解されるべきである。下りは、ネットワーク機器が端末機器に情報を送信することを指している。上りは、端末機器がネットワーク機器に情報を送信することを指している。
【００４２】
図１は、本発明の実施例に係る通信方法に適用される通信システムの概略構造図である。図１の通信システムは、サービングセル１０１ａを制御する元基地局１１０ａと、ターゲットセル１０１ｂを制御するターゲット基地局１１０ｂと、ＵＥ１２０と、を備える。しかしながら、本発明は、通信システムにおける元基地局１１０ａ、ターゲット基地局１１０ｂ及びＵＥ１２０の数について限定をしない。
【００４３】
サービングセルは、ＵＥ１２０の現在のサービングセルである。接続状態で、元基地局１１０ａ及びＵＥ１２０の間に通信リンクが確立され、且つ、この通信リンクを使用して通話及び／又はデータ伝送を行う。
【００４４】
元基地局１１０ａは、ＵＥ１２０がサービングセルからターゲットセルへハンドオーバする必要があって、ターゲット基地局１１０ｂがＵＥ１２０のハンドオーバを同意したことを決定した場合、ＵＥ１２０にハンドオーバ命令を送信する。ＵＥ１２０は、このハンドオーバ命令を受信した後、サービングセル１０１ａからターゲットセル１０１ｂへのハンドオーバを起動する。
【００４５】
図１に示すサービングセル１０１ａ及びターゲットセル１０１ｂは異なる基地局に属するが、単なる例に過ぎず、本発明の応用シナリオに対して限定を構成しない。例えば、サービングセル１０１ａ及びターゲットセル１０１ｂは同じ基地局に属してもよい。
【００４６】
以下、図１に示す応用シナリオに関連して、本発明の実施例に係るハンドオーバのための方法を説明する。図２は、本発明の実施例に係るハンドオーバのための方法を示しており、図２に示すように、方法２００は、下記のステップを含む。
【００４７】
Ｓ２１０：ネットワーク機器が、端末機器が送信した測定信号を受信する。
【００４８】
Ｓ２２０：ネットワーク機器が測定信号に基づき、端末機器がハンドオーバを行う必要があるか否かを決定する。
【００４９】
したがって、本発明の実施例に係るハンドオーバのための方法は、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【００５０】
上記の端末機器は、図１に示すＵＥ１２０であってもよく、ネットワーク機器は、図１に示す元基地局１１０ａであってもよいことが理解されるべきである。
【００５１】
また、方法２００に係るネットワーク機器は、この端末機器の現在の位置しているサービングセルに対応するネットワーク機器であってもよく、方法２００に係るネットワーク機器は、また、この端末機器の隣接セルに対応するネットワーク機器であってもよく、本発明は、これについて限定をしないことが理解されるべきである。
【００５２】
さらに、方法２００に係るネットワーク機器がこの端末機器の隣接セルに対応するネットワーク機器である場合、ネットワーク機器は、受信された測定信号に基づいて上りリンクの時間同期を行い、且つ端末機器の隣接セルの信号品質を決定できる。
【００５３】
本発明の実施例では、ネットワーク機器は、測定信号に基づいて端末機器がハンドオーバを行う必要があるか否かを決定する。測定信号は、ネットワーク機器により端末機器のリンク品質を測定するための信号であると理解される。
【００５４】
本発明の実施例では、測定信号は、ネットワーク機器により端末機器がハンドオーバを行うか否かを決定するために専門的に使用される信号として定義される信号であってもよい。測定信号はまた、その自体が、ネットワーク機器により端末機器がハンドオーバを行う必要があるか否かを決定するために使用される信号として専門的に定義される信号でなくてもよく、例えば、測定信号は上りサウンディング参照信号（Ｓｏｕｎｄｉｎｇ  Ｒｅｆｅｒｅｎｃｅ  Ｓｉｇｎａｌ、単に「ＳＲＳ」と称する）である。
【００５５】
選択的に、別の実施例として、測定信号はコードワードであり、本発明は、コードワードの具体的な形式に対して限定をしない。
【００５６】
上記の実施例では、選択的に、ネットワーク機器は、上位レイヤのシグナリング又は物理層シグナリングを介して、端末機器が周期的又は非周期的な方式で測定信号を送信するように通知する。さらに、端末機器は、ネットワーク機器の構成に応じて周期的にネットワーク機器に測定信号を送信する。又は端末機器は、ネットワーク機器の構成に応じて非周期的にネットワーク機器に測定信号を送信する。
【００５７】
本発明の実施例では、選択的に、図３に示すように、この方法２００は、下記のステップをさらに含む。
【００５８】
Ｓ２３０：ネットワーク機器が測定信号関連情報を取得し、この測定信号関連情報は、この測定信号に対応するパラメータの情報を指示するためのものである。
【００５９】
相応に、ネットワーク機器は、端末機器がハンドオーバする必要があるか否かを決定するとき、測定信号及び測定信号関連情報に基づき、この端末機器がハンドオーバを行う必要があるか否かを決定する。
【００６０】
選択的に、一例として、ネットワーク機器は、端末機器が送信したこの測定信号関連情報を受信する。
【００６１】
さらに、ネットワーク機器は、端末機器に制御情報を送信し、この制御情報は、この端末機器がネットワーク機器に測定信号及び／又は測定信号関連情報を送信するか否かを指示するためのものである。制御情報が、端末機器がネットワーク機器に測定信号及び／又は測定信号関連情報を送信することを指示する場合、端末機器は、ネットワーク機器に測定信号及び／又は測定信号関連情報を送信する。選択的に、ネットワーク機器は、端末機器専用制御シグナリングを介して端末機器に制御情報を送信する。
【００６２】
上記の実施例では、選択的に、測定信号関連情報は送信電力情報を含み、この送信電力情報は、このネットワーク機器がこの送信電力情報に基づいてこの測定信号の送信電力を決定するために使用される。
【００６３】
具体的に、送信電力情報は測定信号の送信電力の絶対値を含む。又は、送信電力情報は測定信号の送信電力の初期送信電力に対するオフセットを含み、ここで、この初期送信電力は、このネットワーク機器が端末機器のために構成した測定信号を送信するための電力である。又は、送信電力情報は端末機器の送信電力マージンを含む。
【００６４】
又は、送信電力情報は測定信号の送信電力の絶対値を指示するものと理解される。例えば、送信電力情報は、測定信号の送信電力が２０ｄＢｍであると指示する。又は、送信電力情報は測定信号の送信電力の初期送信電力に対するオフセットを指示する。例えば、ネットワーク機器により構成された端末機器の初期送信電力が２０ｄＢｍであり、送信電力情報が指示するオフセットが５ｄＢｍである場合、ネットワーク機器は、送信電力情報に基づき、端末機器が測定信号を送信するときの送信電力が１５ｄＢｍであると決定する。
【００６５】
本発明の実施例では、選択的に、端末機器は、上り制御チャネルを介してネットワーク機器に上り情報を送信し、この上り情報には送信電力情報が含まれている。
【００６６】
上り制御チャネルは、ＬＴＥシステムにおける物理上り制御チャネル（Ｐｈｙｓｉｃａｌ  Ｕｐｌｉｎｋ  Ｃｏｎｔｒｏｌ  Ｃｈａｎｎｅｌ、単に「ＰＵＣＣＨ」と称する）又は物理上り共有チャネル（Ｐｈｙｓｉｃａｌ  Ｕｐｌｉｎｋ  Ｓｈａｒｅｄ  Ｃｈａｎｎｅｌ、単に「ＰＵＳＣＨ」と称する）であってもよいことが理解される。
【００６７】
具体的に、上り制御チャネルで伝送される上り情報に予約情報ビットを導入でき、この予約情報ビットは、送信電力の絶対値及び／又は送信電力マージンを指示する。例えば、予約情報ビットのビット数と送信電力の絶対値及び／又は送信電力マージンを予め設定でき、ネットワーク機器は、予約情報ビットのビット数に基づいて送信電力の絶対値及び／又は送信電力マージンを決定できる。
【００６８】
又は、上り制御チャネルで伝送される上り情報に直接に送信電力の絶対値及び／又は送信電力マージンを含むことができ、ネットワーク機器は、直接に上り情報により送信電力の絶対値及び／又は送信電力マージンを決定できる。
【００６９】
又は、上り制御チャネルで伝送される上り情報に送信電力のインデックス値を導入できる。事前にネットワーク機器及び端末機器に送信電力のインデックス値と送信電力の絶対値及び／又は送信電力マージンとの対応関係を構成し、ネットワーク機器は、上り情報における送信電力のインデックス値及びこの対応関係に基づき、送信電力の絶対値及び／又は送信電力マージンを決定できる。
【００７０】
選択的に、別の例として、ネットワーク機器は、端末機器が送信したメディアアクセス制御（Ｍｅｄｉｕｍ  Ａｃｃｅｓｓ  Ｃｏｎｔｒｏｌ、単に「ＭＡＣ」と称する）層のＭＡＣ制御エレメント（Ｃｏｎｔｒｏｌ  Ｅｌｅｃｍｅｎｔ、単に「ＣＥ」と称する）を受信する。ＭＡＣ  ＣＥには送信電力の絶対値及び／又は送信電力マージン、及び送信電力のインデックス値等の情報が含まれている。
【００７１】
本発明の実施例では、選択的に、ネットワーク機器は、測定信号又は測定信号のモードと送信電力との対応関係に基づき、送信電力情報を決定する。
【００７２】
具体的に、ネットワーク機器は、測定信号又は測定信号のモードと送信電力のレベルとの対応関係に基づき、送信電力情報を決定する。ここで、送信電力のレベルは、具体的に送信電力の絶対値に対応してもよいが、送信電力のレベルは、また、具体的に送信電力の初期送信電力に対するオフセットに対応してもよい。
【００７３】
例えば、測定信号がＳＲＳ１である場合に送信電力のレベル１に対応し、測定信号がＳＲＳ２である場合に送信電力のレベル２に対応する。選択的に、端末機器がＳＲＳ１及びＳＲＳ２を送信するときに占有するサブフレームは完全に同じではない。
【００７４】
ここで、送信電力のレベルは空間分割により区分できる。例えば、アンテナポート１は電力レベル１に対応し、アンテナポート２は電力レベル２に対応する。ネットワーク機器は、測定信号の送信ポートを決定した後、アンテナポートと電力レベルとの対応関係に基づき、送信電力の絶対値及び／又は送信電力の初期送信電力に対するオフセットを決定できる。
【００７５】
又は、送信電力のレベルは、また時間周波数リソースによって区分できる。例えば、時間周波数リソースブロック１は電力レベル１に対応し、時間周波数リソースブロック２は電力レベル２に対応する。ネットワーク機器は、端末機器により測定信号を送信するために使用される時間周波数リソースブロックを決定した後、時間周波数リソースブロックと電力レベルとの対応関係に基づき、送信電力の絶対値及び／又は送信電力の初期送信電力に対するオフセットを決定できる。
【００７６】
又は、送信電力のレベルは、コードワードによって区分できる。例えば、コードワード１は電力レベル１に対応し、コードワード２は電力レベル２に対応する。ネットワーク機器は、測定チャネルに対応するコードワードを決定した後、コードワードと電力レベルとの対応関係に基づき、送信電力の絶対値及び／又は送信電力の初期送信電力に対するオフセットを決定できる。
【００７７】
上記の全ての実施例では、選択的に、ネットワーク機器が測定信号及び測定信号関連情報に基づき、端末機器がハンドオーバを行う必要があるか否かを決定するとき、ネットワーク機器は、前記測定信号及び測定信号関連情報に基づき、上り信号の信号品質を決定する。その後、ネットワーク機器は、決定された信号品質に基づいて端末機器がハンドオーバを行う必要があるか否かを決定する。
【００７８】
具体的に、ネットワーク機器は、測定信号及び送信電力情報に基づき、アップリンクパスロス状況を決定し、アップリンクパスロス状況に基づいて端末機器の現在のサービングセルの上り信号の信号品質を決定できる。ネットワーク機器は、現在のサービングセルの上り信号の信号品質、及び隣接セルの上り信号の信号品質に基づき、端末機器がハンドオーバを行う必要があるか否かを決定する。
【００７９】
例えば、ネットワーク機器が、現在のサービングセルの上り信号の信号強度が第１の予定閾値より低いと決定した場合、端末機器がハンドオーバを行う必要があると決定する。又は、ネットワーク機器が、現在のサービングセルの上り信号の信号強度が第２の閾値より低くて、隣接セルの上り信号の信号強度が第３の閾値より高いと決定した場合、ネットワーク機器は、端末機器がハンドオーバを行う必要があると決定し、第２の閾値は第３の閾値に等しくてもよい。又は、ネットワーク機器が、現在のサービングセルの上り信号の信号強度と隣接セルの上り信号の信号強度との差が第４の閾値より大きいと決定した場合、ネットワーク機器は、端末機器がハンドオーバを行う必要があると決定する。
【００８０】
さらに、ネットワーク機器が端末機器の現在のサービングセルの上り信号の信号品質を決定した後、ネットワーク機器は、決定された信号品質及び下りチャネル性能に基づいて端末機器がハンドオーバを行う必要があるか否かを決定する。
【００８１】
例えば、ネットワーク機器が、現在のサービングセルの上り信号の信号強度が第１の予定閾値より低く、且つ端末機器の現在の下りチャネルのビット誤り率が第２の予定閾値より高いと決定した場合、ネットワーク機器は、端末機器がハンドオーバを行う必要があると決定する。又は、ネットワーク機器が、現在のサービングセルの上り信号の信号強度が第２の閾値より低くて、隣接セルの上り信号の信号強度が第３の閾値より高く、且つ端末機器の現在の下りチャネルのビット誤り率が第４の予定閾値より高いと決定した場合、ネットワーク機器は、端末機器がハンドオーバを行う必要があると決定する。又は、ネットワーク機器が、現在のサービングセルの上り信号の信号強度と隣接セルの上り信号の信号強度との差が第４の閾値より大きく、且つ端末機器の現在の下りチャネルのビット誤り率が第５の予定閾値より高いと決定した場合、ネットワーク機器は、端末機器がハンドオーバを行う必要があると決定する。又は、ネットワーク機器が、現在のサービングセルの上り信号の信号強度が第６の予定閾値より高いが、端末機器の現在の下りチャネルのビット誤り率が第６の予定閾値より高いと決定した場合、ネットワーク機器は、端末機器がハンドオーバを行う必要があると決定する。
【００８２】
上記の全ての実施例では、選択的に、ネットワーク機器が、端末機器が送信した測定信号を受信する前に、ネットワーク機器は、端末機器に初期送信電力、送信電力のインデックス値、測定信号又は測定信号のモードと送信電力のレベルとの対応関係、及び送信電力情報と上り情報における予約情報ビットとの対応関係のうちの少なくとも１つの情報を送信する。さらに、ネットワーク機器は、端末機器専用シグナリングを介して端末機器に上記の情報を送信する。
【００８３】
上記の全ての実施例では、選択的に、ネットワーク機器が、端末機器がハンドオーバを行う必要があると決定した場合、ネットワーク機器及び端末機器は、従来の関連技術におけるハンドオーバフローに従ってインタラクションを行って、端末機器のハンドオーバを実現する。ここで詳細な説明を省略する。
【００８４】
以上、図２及び図３に関連して、ネットワーク機器側から本発明の実施例に係るハンドオーバのための方法を詳細に説明しており、以下は、図４及び図５に関連して、端末機器側から本発明の実施例に係るハンドオーバのための方法を詳細に説明する。ネットワーク機器側で説明された端末機器とネットワーク機器とのインタラクション及び関連特性、機能等は、端末機器側の説明に対応しており、簡潔にするために、重複する説明は適宜省略することが理解されるべきである。図４に示すように、方法３００は、下記のステップを含む。
【００８５】
Ｓ３１０：端末機器が測定信号を生成する。
【００８６】
Ｓ３２０：この端末機器がネットワーク機器にこの測定信号を送信する。
【００８７】
したがって、本発明の実施例に係るハンドオーバのための方法は、端末機器がネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【００８８】
本発明の実施例では、選択的に、図５に示すように、この方法３００は、下記のステップをさらに含む。
【００８９】
Ｓ３３０：この端末機器がこのネットワーク機器に測定信号関連情報を送信し、この測定信号関連情報は、この測定信号に対応するパラメータの情報を指示するためのものである。
【００９０】
本発明の実施例では、選択的に、この測定信号関連情報は送信電力情報を含み、この送信電力情報は、このネットワーク機器がこの送信電力情報に基づいてこの測定信号の送信電力を決定するために使用される。
【００９１】
本発明の実施例では、選択的に、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【００９２】
本発明の実施例では、選択的に、この端末機器がこのネットワーク機器に測定信号関連情報を送信するステップは、この端末機器が上り制御チャネルを介して上り情報を送信するステップを含み、この上り情報にはこの送信電力情報が含まれている。
【００９３】
本発明の実施例では、選択的に、この上り情報における予約情報ビットにはこの送信電力情報が含まれ、又は、この送信電力情報は送信電力のインデックス値である。
【００９４】
本発明の実施例では、選択的に、この端末機器がこのネットワーク機器に測定信号関連情報を送信するステップは、この端末機器がこのネットワーク機器にメディアアクセス制御の制御エレメントＭＡＣ  ＣＥを送信するステップを含み、このＭＡＣ  ＣＥにはこの送信電力情報が含まれている。
【００９５】
本発明の実施例では、選択的に、この方法は、この端末機器が、このネットワーク機器が送信した初期送信電力、送信電力のインデックス値、測定信号又は測定信号のモードと送信電力のレベルとの対応関係、及び送信電力情報と上り情報における予約情報ビットとの対応関係のうちの少なくとも１つの情報を受信するステップをさらに含む。
【００９６】
本発明の実施例では、選択的に、この方法は、この端末機器が、このネットワーク機器が送信した制御情報を受信するステップをさらに含み、この制御情報は、この端末機器がこのネットワーク機器に測定信号及び／又は測定信号関連情報を送信するか否かを指示するためのものであり、
ここで、この端末機器がこのネットワーク機器にこの測定信号を送信するステップは、この制御情報が、この端末機器がこのネットワーク機器に測定信号を送信することを指示する場合、この端末機器がこのネットワーク機器にこの測定信号を送信するステップを含む。
【００９７】
したがって、本発明の実施例に係るハンドオーバのための方法は、端末機器がネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【００９８】
以上、図４及び図５に関連して、本発明の別の実施例に係るハンドオーバのための方法を詳細に説明した。以下は、図６に関連して、本発明の実施例に係るネットワーク機器を詳細に説明する。
【００９９】
図６は、本発明の実施例に係るネットワーク機器を示している。図６に示すように、ネットワーク機器１０は、送受信モジュール１１と決定モジュール１２を備える。
【０１００】
送受信モジュール１１は、端末機器が送信した測定信号を受信するために使用される。
【０１０１】
決定モジュール１２は、この測定信号に基づき、この端末機器がハンドオーバを行う必要があるか否かを決定するために使用される。
【０１０２】
したがって、本発明の実施例に係るネットワーク機器は、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１０３】
本発明の実施例では、選択的に、この決定モジュール１２は、また、測定信号関連情報を取得するために使用され、この測定信号関連情報は、この測定信号に対応するパラメータの情報を指示するためのものであり、
ここで、この測定信号に基づき、この端末機器がハンドオーバを行う必要があるか否かを決定するには、この決定モジュール１２は、具体的に、この測定信号及びこの測定信号関連情報に基づき、この端末機器がハンドオーバを行う必要があるか否かを決定するために使用される。
【０１０４】
本発明の実施例では、選択的に、この送受信モジュール１１は、また、この端末機器が送信したこの測定信号関連情報を受信するために使用される。
【０１０５】
本発明の実施例では、選択的に、この測定信号関連情報は送信電力情報を含み、この送信電力情報は、このネットワーク機器がこの送信電力情報に基づいてこの測定信号の送信電力を決定するために使用され、
ここで、この決定モジュール１２は、具体的に、この送信電力情報を取得するために使用される。
【０１０６】
本発明の実施例では、選択的に、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【０１０７】
本発明の実施例では、選択的に、この送受信モジュール１１は、具体的に、この端末機器が上り制御チャネルを介して送信した上り情報を受信するために使用され、この上り情報にはこの送信電力情報が含まれている。
【０１０８】
本発明の実施例では、選択的に、この上り情報における予約情報ビットにはこの送信電力情報が含まれ、又は、この送信電力情報は送信電力のインデックス値である。
【０１０９】
本発明の実施例では、選択的に、この送受信モジュール１１は、具体的に、この端末機器が送信したメディアアクセス制御の制御エレメントＭＡＣ  ＣＥを受信するために使用され、このＭＡＣ  ＣＥにはこの送信電力情報が含まれている。
【０１１０】
本発明の実施例では、選択的に、この決定モジュール１２は、具体的に、この測定信号又は測定信号のモードと送信電力との対応関係に基づき、この送信電力情報を決定するために使用される。
【０１１１】
本発明の実施例では、選択的に、この決定モジュール１２は、具体的に、この測定信号又はこの測定信号のモードと送信電力のレベルとの対応関係に基づき、この送信電力情報を決定するために使用される。
【０１１２】
本発明の実施例では、選択的に、この決定モジュール１２は、具体的に、この測定信号の送信ポートを決定し、送信ポートと送信電力のレベルとの対応関係に基づき、この送信電力情報を決定する、又は、この測定信号に対応する時間周波数リソースを決定し、時間周波数リソースと送信電力のレベルとの対応関係に基づき、この送信電力情報を決定する、又は、この測定信号に対応するコードワードを決定し、コードワードと送信電力のレベルとの対応関係に基づき、この送信電力情報を決定するために使用される。
【０１１３】
本発明の実施例では、選択的に、この決定モジュール１２は、具体的に、この測定信号及びこの測定信号関連情報に基づき、上り信号の信号品質を決定し、この信号品質に基づき、この端末機器がハンドオーバを行う必要があるか否かを決定する、又は、この信号品質及び下りチャネルの性能に基づき、この端末機器がハンドオーバを行う必要があるか否かを決定するために使用される。
【０１１４】
本発明の実施例では、選択的に、この送受信モジュール１１が、端末機器が送信した測定信号を受信する前に、この送受信モジュール１１は、また、この端末機器に初期送信電力、送信電力のインデックス値、測定信号又は測定信号のモードと送信電力のレベルとの対応関係、及び送信電力情報と上り情報における予約情報ビットとの対応関係のうちの少なくとも１つの情報を送信するために使用される。
【０１１５】
本発明の実施例では、選択的に、この送受信モジュール１１は、また、この端末機器に制御情報を送信するために使用され、この制御情報は、この端末機器がこのネットワーク機器に測定信号及び／又は測定信号関連情報を送信するか否かを指示するためのものである。
【０１１６】
本発明の実施例に係るネットワーク機器に関しては、本発明の実施例に係るハンドオーバのための方法２００に対応するフローを参照でき、且つ、このネットワーク機器における各ユニット／モジュール及び上記の他の動作及び／又は機能のそれぞれは、方法２００における対応するフローを実現するために使用され、簡潔にするために、ここで詳細な説明を省略する。
【０１１７】
したがって、本発明の実施例に係るネットワーク機器は、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１１８】
図７は、本発明の実施例に係る端末機器を示しており、図７に示すように、端末機器２０は、生成モジュール２１と送受信モジュール２２を備える。
【０１１９】
生成モジュール２１は、測定信号を生成するために使用される。
【０１２０】
送受信モジュール２２は、ネットワーク機器にこの測定信号を送信するために使用される。
【０１２１】
したがって、本発明の実施例に係る端末機器は、ネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１２２】
本発明の実施例では、選択的に、この送受信モジュール２２は、具体的に、このネットワーク機器に測定信号関連情報を送信するために使用され、この測定信号関連情報は、この測定信号に対応するパラメータの情報を指示するためのものである。
【０１２３】
本発明の実施例では、選択的に、この測定信号関連情報は送信電力情報を含み、この送信電力情報は、このネットワーク機器がこの送信電力情報に基づいてこの測定信号の送信電力を決定するために使用される。
【０１２４】
本発明の実施例では、選択的に、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【０１２５】
本発明の実施例では、選択的に、この送受信モジュール２１は、また、上り制御チャネルを介して上り情報を送信するために使用され、この上り情報にはこの送信電力情報が含まれている。
【０１２６】
本発明の実施例では、選択的に、この上り情報における予約情報ビットにはこの送信電力情報が含まれ、又は、この送信電力情報は送信電力のインデックス値である。
【０１２７】
本発明の実施例では、選択的に、この送受信モジュール２１は、具体的に、このネットワーク機器にメディアアクセス制御の制御エレメントＭＡＣ  ＣＥを送信するために使用され、このＭＡＣ  ＣＥにはこの送信電力情報が含まれている。
【０１２８】
本発明の実施例では、選択的に、この送受信モジュール２１は、また、このネットワーク機器が送信した初期送信電力、送信電力のインデックス値、測定信号又は測定信号のモードと送信電力のレベルとの対応関係、及び送信電力情報と上り情報における予約情報ビットとの対応関係のうちの少なくとも１つの情報を受信するために使用される。
【０１２９】
本発明の実施例では、選択的に、この送受信モジュール２１は、また、このネットワーク機器が送信した制御情報を受信するために使用され、この制御情報は、この端末機器がこのネットワーク機器に測定信号及び／又は測定信号関連情報を送信するか否かを指示するためのものであり、
ここで、このネットワーク機器にこの測定信号を送信するには、この送受信モジュール２１は、具体的に、この制御情報が、この端末機器がこのネットワーク機器に測定信号を送信することを指示する場合、このネットワーク機器にこの測定信号を送信するために使用される。
【０１３０】
本発明の実施例に係る端末機器に関しては、本発明の実施例に係るハンドオーバのための方法３００に対応するフローを参照でき、且つ、この端末機器における各ユニット／モジュール及び上記の他の動作及び／又は機能のそれぞれは、方法３００における対応するフローを実現するために使用され、簡潔にするために、ここで詳細な説明を省略する。
【０１３１】
したがって、本発明の実施例に係る端末機器は、ネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１３２】
図８は、本発明の別の実施例に係るネットワーク機器を示している。図８に示すように、ネットワーク機器１００は、プロセッサー１１０及び送受信器１２０を備え、プロセッサー１１０及び送受信器１２０は互いに接続され、選択的に、このネットワーク機器１００は、メモリ１３０をさらに備え、メモリ１３０はプロセッサー１１０と互いに接続され、さらに選択的に、このネットワーク機器１００は、バスシステム１４０を備える。ここで、プロセッサー１１０、メモリ１３０及び送受信器１２０は、バスシステム１４０を介して互いに接続されることができ、このメモリ１３０は命令を記憶するために使用されることができ、このプロセッサー１１０はこのメモリ１３０に記憶された命令を実行することにより、送受信器１２０が情報を送信し、又は情報を受信するように制御するために使用される。ここで、送受信器１２０は、端末機器が送信した測定信号を受信するために使用され、このプロセッサー１１０は、この測定信号に基づき、この端末機器がハンドオーバを行う必要があるか否かを決定するために使用される。
【０１３３】
したがって、本発明の実施例に係るネットワーク機器は、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１３４】
本発明の実施例では、このプロセッサー１１０は中央処理装置（Ｃｅｎｔｒａｌ  Ｐｒｏｃｅｓｓｉｎｇ  Ｕｎｉｔ、単に「ＣＰＵ」と称する）であってもよく、このプロセッサー１１０はまた、他の汎用プロセッサー、デジタル信号プロセッサー（ＤＳＰ）、特定用途向け集積回路（ＡＳＩＣ）、フィールドプログラマブルゲートアレイ（ＦＰＧＡ）又は他のプログラマブル論理デバイス、個別ゲート又はトランジスタ論理デバイス、個別ハードウェアコンポーネント等であってもよいことが理解されるべきである。汎用プロセッサーはマイクロプロセッサーであってもよく、又は、このプロセッサーはまた、いずれかの通常のプロセッサー等であってもよい。
【０１３５】
このメモリ１３０は、読み取り専用メモリ及びランダムアクセスメモリを含んでもよく、プロセッサー１１０に命令及びデータを提供する。メモリ１３０の一部は、また、不揮発性ランダムアクセスメモリを含んでもよい。例えば、メモリ１３０は、また機器タイプの情報を記憶してもよい。
【０１３６】
このバスシステム１３０は、データバス以外に、また、電源バス、制御バス及び状態信号バス等を含んでもよい。しかしながら、明確に説明するために、図面において様々なバスをバスシステム１３０として表記する。
【０１３７】
実現時に、上記の方法の各ステップは、プロセッサー１１内のハードウェアの集積論理回路又はソフトウェアの形の命令により完了されることができる。本発明の実施例に開示された方法のステップに関連して、直接にハードウェアプロセッサーにより実行されて完了し、又はプロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に配置されてもよい。この記録媒体はメモリ１３０に配置され、プロセッサー１１０はメモリ１３０内の情報を読み取り、そのハードウェアと組み合わせて上記の方法のステップを完了する。重複を避けるために、ここで詳細な説明を省略する。
【０１３８】
選択的に、一実施例として、このプロセッサー１１０は、また、測定信号関連情報を取得するために使用され、この測定信号関連情報は、この測定信号に対応するパラメータの情報を指示するためのものであり、
ここで、この測定信号に基づき、この端末機器がハンドオーバを行う必要があるか否かを決定するには、このプロセッサー１１０は、具体的に、この測定信号及びこの測定信号関連情報に基づき、この端末機器がハンドオーバを行う必要があるか否かを決定するために使用される。
【０１３９】
選択的に、一実施例として、この送受信器１２０は、また、この端末機器が送信したこの測定信号関連情報を受信するために使用される。
【０１４０】
選択的に、一実施例として、この測定信号関連情報は送信電力情報を含み、この送信電力情報は、このネットワーク機器がこの送信電力情報に基づいてこの測定信号の送信電力を決定するために使用され、
ここで、このプロセッサー１１０は、具体的に、この送信電力情報を取得するために使用される。
【０１４１】
選択的に、一実施例として、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【０１４２】
選択的に、一実施例として、この送受信器１２０は、具体的に、この端末機器が上り制御チャネルを介して送信した上り情報を受信するために使用され、この上り情報にはこの送信電力情報が含まれている。
【０１４３】
選択的に、一実施例として、この上り情報における予約情報ビットにはこの送信電力情報が含まれ、又は、この送信電力情報は送信電力のインデックス値である。
【０１４４】
選択的に、一実施例として、この送受信器１２０は、具体的に、この端末機器が送信したメディアアクセス制御の制御エレメントＭＡＣ  ＣＥを受信するために使用され、このＭＡＣ  ＣＥにはこの送信電力情報が含まれている。
【０１４５】
選択的に、一実施例として、このプロセッサー１１０は、具体的に、この測定信号又は測定信号のモードと送信電力との対応関係に基づき、この送信電力情報を決定するために使用される。
【０１４６】
選択的に、一実施例として、このプロセッサー１１０は、具体的に、この測定信号又はこの測定信号のモードと送信電力のレベルとの対応関係に基づき、この送信電力情報を決定するために使用される。
【０１４７】
選択的に、一実施例として、このプロセッサー１１０は、具体的に、この測定信号の送信ポートを決定し、送信ポートと送信電力のレベルとの対応関係に基づき、この送信電力情報を決定する、又は、この測定信号に対応する時間周波数リソースを決定し、時間周波数リソースと送信電力のレベルとの対応関係に基づき、この送信電力情報を決定する、又は、この測定信号に対応するコードワードを決定し、コードワードと送信電力のレベルとの対応関係に基づき、この送信電力情報を決定するために使用される。
【０１４８】
選択的に、一実施例として、このプロセッサー１１０は、具体的に、この測定信号及びこの測定信号関連情報に基づき、上り信号の信号品質を決定し、この信号品質に基づき、この端末機器がハンドオーバを行う必要があるか否かを決定する、又は、この信号品質及び下りチャネルの性能に基づき、この端末機器がハンドオーバを行う必要があるか否かを決定するために使用される。
【０１４９】
選択的に、一実施例として、この送受信器１２０が、端末機器が送信した測定信号を受信する前に、この送受信器１２０は、また、この端末機器に初期送信電力、送信電力のインデックス値、測定信号又は測定信号のモードと送信電力のレベルとの対応関係、及び送信電力情報と上り情報における予約情報ビットとの対応関係のうちの少なくとも１つの情報を送信するために使用される。
【０１５０】
選択的に、一実施例として、この送受信器１２０は、また、この端末機器に制御情報を送信するために使用され、この制御情報は、この端末機器がこのネットワーク機器に測定信号及び／又は測定信号関連情報を送信するか否かを指示するためのものである。
【０１５１】
本発明の実施例に係るネットワーク機器に関しては、本発明の実施例に係るハンドオーバのための方法２００に対応するフローを参照でき、且つ、このネットワーク機器における各ユニット／モジュール及び上記の他の動作及び／又は機能のそれぞれは、方法２００における対応するフローを実現するために使用され、簡潔にするために、ここで詳細な説明を省略する。
【０１５２】
したがって、本発明の実施例に係るネットワーク機器は、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１５３】
図９は、本発明の別の実施例に係る端末機器の概略ブロック図を示しており、図９に示すように、端末機器２００は、プロセッサー２１０及び送受信器２２０を備え、プロセッサー２１０及び送受信器２２０は互いに接続され、選択的に、この端末機器２００は、メモリ２３０をさらに備え、メモリ２３０はプロセッサー２１０と互いに接続され、さらに選択的に、この端末機器２００は、バスシステム２４０を備える。ここで、プロセッサー２１０、メモリ２３０及び送受信器２２０は、バスシステム２４０を介して互いに接続されることができ、このメモリ２３０は、命令を記憶するために使用されることができ、このプロセッサー２１０は、このメモリ２３０に記憶された命令を実行することにより、送受信器２２０が情報を送信し、又は情報を受信するように制御するために使用される。ここで、このプロセッサー２１０は、測定信号を生成するために使用され、この送受信器２２０は、前記ネットワーク機器に前記測定信号を送信するために使用される。
【０１５４】
したがって、本発明の実施例に係る端末機器は、ネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１５５】
本発明の実施例では、このプロセッサー２１０は中央処理装置（Ｃｅｎｔｒａｌ  Ｐｒｏｃｅｓｓｉｎｇ  Ｕｎｉｔ、単に「ＣＰＵ」と称する）であってもよく、このプロセッサー２１０はまた、他の汎用プロセッサー、デジタル信号プロセッサー（ＤＳＰ）、特定用途向け集積回路（ＡＳＩＣ）、フィールドプログラマブルゲートアレイ（ＦＰＧＡ）又は他のプログラマブル論理デバイス、個別ゲート又はトランジスタ論理デバイス、個別ハードウェアコンポーネント等であってもよいことが理解されるべきである。汎用プロセッサーはマイクロプロセッサーであってもよく、又は、このプロセッサーはまた、いずれかの通常のプロセッサー等であってもよい。
【０１５６】
このメモリ２３０は、読み取り専用メモリ及びランダムアクセスメモリを含んでもよく、プロセッサー２１０に命令及びデータを提供する。メモリ２３０の一部は、また、不揮発性ランダムアクセスメモリを含んでもよい。例えば、メモリ２３０は、また機器タイプの情報を記憶してもよい。
【０１５７】
このバスシステム２４０は、データバス以外に、また、電源バス、制御バス及び状態信号バス等を含んでもよい。しかしながら、明確に説明するために、図面において様々なバスをバスシステム２４０として表記する。
【０１５８】
実現時に、上記の方法の各ステップは、プロセッサー２１０におけるハードウェアの集積論理回路又はソフトウェアの形の命令により完了されることができる。本発明の実施例に開示された方法のステップに関連して、直接にハードウェアプロセッサーにより実行されて完了し、又はプロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に配置されてもよい。この記録媒体はメモリ２３０に配置され、プロセッサー２１０はメモリ２３０内の情報を読み取り、そのハードウェアと組み合わせて上記の方法のステップを完了する。重複を避けるために、ここで詳細な説明を省略する。
【０１５９】
選択的に、一実施例として、この送受信器２２０は、具体的に、このネットワーク機器に測定信号関連情報を送信するために使用され、この測定信号関連情報は、この測定信号に対応するパラメータの情報を指示するためのものである。
【０１６０】
選択的に、一実施例として、この測定信号関連情報は送信電力情報を含み、この送信電力情報は、このネットワーク機器がこの送信電力情報に基づいてこの測定信号の送信電力を決定するために使用される。
【０１６１】
選択的に、一実施例として、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【０１６２】
選択的に、一実施例として、この送受信器２２０は、また、上り制御チャネルを介して上り情報を送信するために使用され、この上り情報にはこの送信電力情報が含まれている。
【０１６３】
選択的に、一実施例として、この上り情報における予約情報ビットにはこの送信電力情報が含まれ、又は、この送信電力情報は送信電力のインデックス値である。
【０１６４】
選択的に、一実施例として、この送受信器２２０は、具体的に、このネットワーク機器にメディアアクセス制御の制御エレメントＭＡＣ  ＣＥを送信するために使用され、このＭＡＣ  ＣＥにはこの送信電力情報が含まれている。
【０１６５】
選択的に、一実施例として、この送受信器２２０は、また、このネットワーク機器が送信した初期送信電力、送信電力のインデックス値、測定信号又は測定信号のモードと送信電力のレベルとの対応関係、及び送信電力情報と上り情報における予約情報ビットとの対応関係のうちの少なくとも１つの情報を受信するために使用される。
【０１６６】
選択的に、一実施例として、この送受信器２２０は、また、このネットワーク機器が送信した制御情報を受信するために使用され、この制御情報は、この端末機器がこのネットワーク機器に測定信号及び／又は測定信号関連情報を送信するか否かを指示するためのものであり、
ここで、このネットワーク機器にこの測定信号を送信するには、この送受信器２２０は、具体的に、この制御情報が、この端末機器がこのネットワーク機器に測定信号を送信することを指示する場合、このネットワーク機器にこの測定信号を送信するために使用される。
【０１６７】
本発明の実施例に係る端末機器に関しては、本発明の実施例に係るハンドオーバのための方法３００に対応するフローを参照でき、且つ、この端末機器における各ユニット／モジュール及び上記の他の動作及び／又は機能のそれぞれは、方法３００における対応するフローを実現するために使用され、簡潔にするために、ここで詳細な説明を省略する。
【０１６８】
したがって、本発明の実施例に係る端末機器は、ネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１６９】
本明細書を通して使用される「１つの実施例」又は「一実施例」は、実施例に関連する特定の特徴、構造又は特性が本発明の少なくとも1つの実施例に含まれることを意味することが理解されるべきである。したがって、本明細書を通して様々な箇所で記載される「1つの実施例では」又は「一実施例では」は、必ずしも同じ実施例を指すものではない。また、これらの特定の特徴、構造又は特性は、１つ又は複数の実施例において任意の適切な方式で組み合わせることができる。
【０１７０】
本明細書における用語「及び／又は」は、関連するオブジェクトを説明する関連付けにすぎず、３つの関係が存在できることを表し、例えば、Ａ及び／又はＢは、Ａが単独に存在し、Ａ及びＢが同時に存在し、Ｂが単独に存在する３つの場合を表すことが理解されるべきである。また、本明細書における符号「／」は、一般的に前後関連するオブジェクトの間が「又は」の関係であることを表す。
【０１７１】
本発明の各実施例では、上記の各フローの番号の大きさは、実行する前後順序を意味するものではなく、各フローの実行順序は、その機能及び内部論理により決定されるべきであり、本発明の実施例に係る実施フローに対していずれかの限定を構成しないことが理解されるべきである。
【０１７２】
当業者であれば、本明細書に開示された実施例に関連して説明された各方法のステップ及びユニットは、電子ハードウェア、コンピュータソフトウェア、又は両者の組み合わせで実現でき、ハードウェア及びソフトウェアの互換性を明確に説明するために、上記の説明において機能によって各実施例のステップ及び構成を一般的に説明していることが認識される。これらの機能がハードウェアで実行されるかソフトウェアで実行されるかは、技術手段の特定の応用及び設計上の制約条件によって異なる。当業者であれば、特定の応用ごとに異なる方法を使用して説明された機能を実現できるが、このような実現が本発明の範囲を超えると考慮されるべきではない。
【０１７３】
本明細書に開示された実施例に関連して説明された方法又はステップは、ハードウェア、プロセッサーにより実行されるソフトウェアプログラム、又は両者の組み合わせで実施できる。ソフトウェアプログラムは、ランダムアクセスメモリ（Ｒａｎｄｏｍ  Ａｃｃｅｓｓ  Ｍｅｍｏｒｙ，ＲＡＭ）、メモリ、読み取り専用メモリ（Ｒｅａｄ−Ｏｎｌｙ  Ｍｅｍｏｒｙ，ＲＯＭ）、電気的にプログラマブル読み取り専用メモリ（Ｅｌｅｃｔｒｉｃａｌｌｙ  Ｐｒｏｇｒａｍｍａｂｌｅ  Ｒｅａｄ−Ｏｎｌｙ  Ｍｅｍｏｒｙ，ＥＰＲＯＭ）、電気的に消去可能なプログラマブル読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ，ＥＥＰＲＯＭ）、レジスタ、ハードディスク、リムーバブルディスク、コンパクトディスク読み取り専用メモリ（Ｃｏｍｐａｃｔ  Ｄｉｓｃ  Ｒｅａｄ−Ｏｎｌｙ  Ｍｅｍｏｒｙ，ＣＤ−ＲＯＭ）、又は技術分野内で周知の任意の他の形の記録媒体に配置されてもよい。
【０１７４】
本発明に提供された幾つかの実施例において、開示されたシステム、装置及び方法は、他の方式で実現されてもよいことが理解されるべきである。例えば、上述のような装置の実施例は、単なる例示的なものにすぎず、例えば、そのユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。
【０１７５】
この分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１７６】
なお、本発明の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【０１７７】
以上、図面を参照しながら好ましい実施例に関連して本発明を詳細に説明しているが、本発明はこれに限定されない。当業者であれば、本発明の精神及び本質から逸脱することなく、本発明の実施例に対して様々な等価の修正又は置換を行うことができ、これらの修正又は置換はいずれも本発明の範囲内に含まれる。
【図１】
2019535173.tif 000003
【図２】
2019535173.tif 000004
【図３】
2019535173.tif 000005
【図４】
2019535173.tif 000006
【図５】
2019535173.tif 000007
【図６】
2019535173.tif 000008
【図７】
2019535173.tif 000009
【図８】
2019535173.tif 000010
【図９】
2019535173.tif 000011
【手続補正書】
【提出日】令和1年9月19日(2019.9.19)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、より詳細には、ハンドオーバのための方法及び機器に関する。
【背景技術】
【０００２】
ロングタームエボリューション（Ｌｏｎｇ  Ｔｅｒｍ  Ｅｖｏｌｕｔｉｏｎ、単に「ＬＴＥ」と称する）システムでは、端末機器が接続状態で移動するとき、端末機器は基地局の構成に応じて信号測定を行い、基地局が要求する条件に従って測定報告を行う。端末機器がハンドオーバする必要がある場合、元の基地局はターゲット基地局に端末機器のターゲット基地局にハンドオーバする必要があるベアラ情報等が含まれるハンドオーバ要求メッセージを送信する。ターゲット基地局は、ハンドオーバ要求メッセージを受信すると、ハンドオーバ要求を確認し、端末機器がこのターゲット基地局が属するセルで使用する必要があるランダムアクセスリソース等のハンドオーバ必要リソースを元の基地局が属する端末サービングセルを介して端末機器に送信する。端末機器は、対応するメッセージを受信した後、ターゲット基地局が属するセルと同期を確立してハンドオーバを完了する。
【０００３】
したがって、基地局は、端末機器が測定を行うように構成し、端末機器が測定後に対応する測定報告を行うように構成する必要があり、シグナリングオーバーヘッドが大きい。
【発明の概要】
【発明が解決しようとする課題】
【０００４】
本発明は、通信システムのシグナリングオーバーヘッドを節約し、通信リソースの利用率を向上できるハンドオーバのための方法及び機器を提供する。
【課題を解決するための手段】
【０００５】
第１の態様によれば、ハンドオーバのための方法が提供され、この方法は、ネットワーク機器が、端末機器が送信した測定信号を受信するステップと、このネットワーク機器がこの測定信号に基づき、この端末機器がハンドオーバを行う必要があるか否かを決定するステップと、を含む。
【０００６】
したがって、本発明の実施例に係るネットワーク機器は、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０００７】
第１の態様に関連して、第１の態様の第１の可能な実現形態では、この方法は、このネットワーク機器が測定信号関連情報を取得するステップをさらに含み、この測定信号関連情報は、この測定信号に対応するパラメータの情報を指示するためのものであり、
ここで、このネットワーク機器がこの測定信号に基づき、この端末機器がハンドオーバを行う必要があるか否かを決定するステップは、このネットワーク機器がこの測定信号及びこの測定信号関連情報に基づき、この端末機器がハンドオーバを行う必要があるか否かを決定するステップを含む。
【０００８】
第１の態様の第１の可能な実現形態に関連して、第１の態様の第２の可能な実現形態では、このネットワーク機器が測定信号関連情報を取得するステップは、このネットワーク機器が、この端末機器が送信したこの測定信号関連情報を受信するステップを含む。
【０００９】
第１の態様の第１又は第２の可能な実現形態に関連して、第１の態様の第３の可能な実現形態では、この測定信号関連情報は送信電力情報を含み、この送信電力情報は、このネットワーク機器がこの送信電力情報に基づいてこの測定信号の送信電力を決定するために使用され、ここで、このネットワーク機器が測定信号関連情報を取得するステップは、このネットワーク機器がこの送信電力情報を取得するステップを含む。
【００１０】
第１の態様の第３の可能な実現形態に関連して、第１の態様の第４の可能な実現形態では、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【００１１】
第１の態様の第３又は第４の可能な実現形態に関連して、第１の態様の第５の可能な実現形態では、このネットワーク機器がこの送信電力情報を取得するステップは、このネットワーク機器が、この端末機器が上り制御チャネルを介して送信した上り情報を受信するステップを含み、この上り情報にはこの送信電力情報が含まれている。
【００１２】
第１の態様の第５の可能な実現形態に関連して、第１の態様の第６の可能な実現形態では、この上り情報における予約情報ビットにはこの送信電力情報が含まれ、又は、この送信電力情報は送信電力のインデックス値である。
【００１３】
第１の態様の第３又は第４の可能な実現形態に関連して、第１の態様の第７の可能な実現形態では、このネットワーク機器がこの送信電力情報を取得するステップは、このネットワーク機器が、この端末機器が送信したメディアアクセス制御の制御エレメントＭＡＣ  ＣＥを受信するステップを含み、このＭＡＣ  ＣＥにはこの送信電力情報が含まれている。
【００１４】
第１の態様の第３又は第４の可能な実現形態に関連して、第１の態様の第８の可能な実現形態では、このネットワーク機器がこの送信電力情報を取得するステップは、このネットワーク機器がこの測定信号又は測定信号のモードと送信電力との対応関係に基づき、この送信電力情報を決定するステップを含む。
【００１５】
第１の態様の第８の可能な実現形態に関連して、第１の態様の第９の可能な実現形態では、このネットワーク機器がこの測定信号又はこの測定信号のモードと送信電力との対応関係に基づき、この送信電力情報を決定するステップは、このネットワーク機器がこの測定信号又はこの測定信号のモードと送信電力のレベルとの対応関係に基づき、この送信電力情報を決定するステップを含む。
【００１６】
第１の態様の第９の可能な実現形態に関連して、第１の態様の第１０の可能な実現形態では、このネットワーク機器がこの測定信号又はこの測定信号のモードと送信電力のレベルとの対応関係に基づき、この送信電力情報を決定するステップは、このネットワーク機器がこの測定信号の送信ポートを決定し、このネットワーク機器が送信ポートと送信電力との対応関係に基づき、この送信電力情報を決定するステップ、又は、このネットワーク機器がこの測定信号に対応する時間周波数リソースを決定し、このネットワーク機器が時間周波数リソースと送信電力との対応関係に基づき、この送信電力情報を決定するステップ、又は、このネットワーク機器がこの測定信号に対応するコードワードを決定し、このネットワーク機器がコードワードと送信電力との対応関係に基づき、この送信電力情報を決定するステップを含む。
【００１７】
第１の態様の第１乃至第１０の可能な実現形態のうちのいずれか１つの可能な実現形態に関連して、第１の態様の第１１の可能な実現形態では、このネットワーク機器がこの測定信号及びこの測定信号関連情報に基づき、この端末機器がハンドオーバを行う必要があるか否かを決定するステップは、このネットワーク機器がこの測定信号及びこの測定信号関連情報に基づき、上り信号の信号品質を決定するステップと、このネットワーク機器がこの信号品質に基づき、この端末機器がハンドオーバを行う必要があるか否かを決定する、又は、このネットワーク機器がこの信号品質及び下りチャネルの性能に基づき、この端末機器がハンドオーバを行う必要があるか否かを決定するステップと、を含む。
【００１８】
第１の態様又は第１の態様の第１乃至第１１の可能な実現形態のうちのいずれか１つの可能な実現形態に関連して、第１の態様の第１２の可能な実現形態では、このネットワーク機器が、端末機器が送信した測定信号を受信する前に、この方法は、このネットワーク機器がこの端末機器に初期送信電力、送信電力のインデックス値、測定信号又は測定信号のモードと送信電力又は送信電力のレベルとの対応関係、及び送信電力情報と上り情報における予約情報ビットとの対応関係のうちの少なくとも１つの情報を送信するステップをさらに含む。
【００１９】
第１の態様又は第１の態様の第１乃至第１２の可能な実現形態のうちのいずれか１つの可能な実現形態に関連して、第１の態様の第１３の可能な実現形態では、この方法は、このネットワーク機器がこの端末機器に制御情報を送信するステップをさらに含み、この制御情報は、この端末機器がこのネットワーク機器に測定信号及び／又は測定信号関連情報を送信するか否かを指示するためのものである。
【００２０】
第２の態様によれば、ハンドオーバのための方法が提供され、この方法は、端末機器が測定信号を生成するステップと、この端末機器がネットワーク機器にこの測定信号を送信するステップと、含む。
【００２１】
したがって、本発明の実施例に係るハンドオーバのための方法は、端末機器がネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【００２２】
第２の態様に関連して、第２の態様の第１の可能な実現形態では、この方法は、この端末機器がこのネットワーク機器に測定信号関連情報を送信するステップをさらに含み、この測定信号関連情報は、この測定信号に対応するパラメータの情報を取得するためのものである。
【００２３】
第２の態様の第１の可能な実現形態に関連して、第２の態様の第２の可能な実現形態では、この測定信号関連情報は送信電力情報を含み、この送信電力情報は、このネットワーク機器がこの送信電力情報に基づいてこの測定信号の送信電力を決定するために使用される。
【００２４】
第２の態様の第２の可能な実現形態に関連して、第２の態様の第３の可能な実現形態では、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【００２５】
第２の態様の第２又は第３の可能な実現形態に関連して、第２の態様の第４の可能な実現形態では、この端末機器がこのネットワーク機器に測定信号関連情報を送信するステップは、この端末機器が上り制御チャネルを介して上り情報を送信するステップを含み、この上り情報にはこの送信電力情報が含まれている。
【００２６】
第２の態様の第４の可能な実現形態に関連して、第２の態様の第５の可能な実現形態では、この上り情報における予約情報ビットにはこの送信電力情報が含まれ、又は、この送信電力情報は送信電力のインデックス値である。
【００２７】
第２の態様の第２又は第３の可能な実現形態に関連して、第２の態様の第６の可能な実現形態では、この端末機器がこのネットワーク機器に測定信号関連情報を送信するステップは、この端末機器がこのネットワーク機器にメディアアクセス制御の制御エレメントＭＡＣ  ＣＥを送信するステップを含み、このＭＡＣ  ＣＥにはこの送信電力情報が含まれている。
【００２８】
第２の態様又は第２の態様の第１乃至第６の可能な実現形態のうちのいずれか１つの可能な実現形態に関連して、第２の態様の第７の可能な実現形態では、この方法は、この端末機器が、このネットワーク機器が送信した初期送信電力、送信電力のインデックス値、測定信号又は測定信号のモードと送信電力又は送信電力のレベルとの対応関係、及び送信電力情報と上り情報における予約情報ビットとの対応関係のうちの少なくとも１つの情報を受信するステップをさらに含む。
【００２９】
第２の態様又は第２の態様の第１乃至第６の可能な実現形態のうちのいずれか１つの可能な実現形態に関連して、第２の態様の第８の可能な実現形態では、この方法は、この端末機器が、このネットワーク機器が送信した制御情報を受信するステップをさらに含み、この制御情報は、この端末機器がこのネットワーク機器に測定信号及び／又は測定信号関連情報を送信するか否かを指示するためのものであり、
ここで、この端末機器がこのネットワーク機器にこの測定信号を送信するステップは、この制御情報が、この端末機器がこのネットワーク機器に測定信号を送信することを指示する場合、この端末機器がこのネットワーク機器にこの測定信号を送信するステップを含む。
【００３０】
第３の態様によれば、上記の第１の態様又は第１の態様の任意の可能な実現形態における方法を実行するためのネットワーク機器が提供される。具体的に、このネットワーク機器は、上記の第１の態様又は第１の態様の任意の可能な実現形態における方法を実行するための機能モジュールを備える。
【００３１】
第４の態様によれば、上記の第２の態様又は第２の態様の任意の可能な実現形態における方法を実行するための端末機器が提供される。具体的に、この端末機器は、上記の第２の態様又は第２の態様の任意の可能な実現形態における方法を実行するための機能モジュールを備える。
【００３２】
第５の態様によれば、ネットワーク機器が提供され、この機器は、プロセッサー、メモリ及び送受信器を備え、このプロセッサー、このメモリ及びこの送受信器はバスシステムを介して互いに接続され、このメモリは命令を記憶するために使用され、このプロセッサーはこのメモリに記憶された命令を実行することにより、この送受信器が情報を受信し、又は情報を送信するように制御し、これにより、このネットワーク機器が上記の第１の態様又は第１の態様の任意の可能な実現形態における方法を実行する。
【００３３】
第６の態様によれば、端末機器が提供され、この機器は、プロセッサー、メモリ及び送受信器を備え、このプロセッサー、このメモリ及びこの送受信器はバスシステムを介して互いに接続され、このメモリは命令を記憶するために使用され、このプロセッサーはこのメモリに記憶された命令を実行することにより、この送受信器が情報を受信し、又は情報を送信するように制御し、これにより、この端末機器が上記の第２の態様又は第２の態様の任意の可能な実現形態における方法を実行する。
【００３４】
第７の態様によれば、コンピュータプログラムを記憶するためのコンピュータ可読媒体が提供され、このコンピュータプログラムには、第１の態様又は第１の態様の任意の可能な実現形態における方法を実行するための命令が含まれる。
【００３５】
第８の態様によれば、コンピュータプログラムを記憶するためのコンピュータ可読媒体が提供され、このコンピュータプログラムには、第２の態様又は第２の態様の任意の可能な実現形態における方法を実行するための命令が含まれる。
【図面の簡単な説明】
【００３６】
以下、本発明の実施例に係る技術手段をさらに明瞭に説明するために、本発明の実施例に使用する必要がある図面に対して簡単に紹介する。なお、以下に説明される図面はただ本発明の一部の実施例に過ぎず、当業者の場合、創造的な労働を付与しない前提で、これらの図面によって他の図面を得ることができる。
【図１】本発明の実施例に係る通信方法に応用される通信システムの模式図である。
【図２】本発明の実施例に係るハンドオーバのための方法を示す概略フローチャートである。
【図３】本発明の別の実施例に係るハンドオーバのための方法の概略フローチャートである。
【図４】本発明のさらに別の実施例に係るハンドオーバのための方法の概略フローチャートである。
【図５】本発明のさらに別の実施例に係るハンドオーバのための方法の概略フローチャートである。
【図６】本発明の実施例に係るネットワーク機器の概略ブロック図である。
【図７】本発明の実施例に係る端末機器の概略ブロック図である。
【図８】本発明の別の実施例に係るネットワーク機器の概略ブロック図である。
【図９】本発明の別の実施例に係る端末機器の概略ブロック図である。
【発明を実施するための形態】
【００３７】
以下は、本発明の実施例に係る図面を参考しながら、本発明の実施例に係る技術手段をより明確且つ完全に説明し、説明されている実施例が、本発明の実施例の一部に過ぎず、全てではないことは明らかである。本発明の実施例に基づいて、当業者が創造的な労働を付与しない前提で得られた他の実施例の全ては、本発明の保護範囲に属する。
【００３８】
本発明の実施例の技術手段は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、単に「ＧＳＭ」と称する）システム、符号分割多元接続（Ｃｏｄｅ  Ｄｉｖｉｓｉｏｎ  Ｍｕｌｔｉｐｌｅ  Ａｃｃｅｓｓ、単に「ＣＤＭＡ」と称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、単に「ＷＣＤＭＡ」と称する）システム、汎用パケット無線サービス（Ｇｅｎｅｒａｌ  Ｐａｃｋｅｔ  Ｒａｄｉｏ  Ｓｅｒｖｉｃｅ、単に「ＧＰＲＳ」と称する）、ロングタームエボリューション（Ｌｏｎｇ  Ｔｅｒｍ  Ｅｖｏｌｕｔｉｏｎ、単に「ＬＴＥ」と称する）システム、ＬＴＥ周波数分割複信（Ｆｒｅｑｕｅｎｃｙ  Ｄｉｖｉｓｉｏｎ  Ｄｕｐｌｅｘ、単に「ＦＤＤ」と称する）システム、ＬＴＥ時分割複信（Ｔｉｍｅ  Ｄｉｖｉｓｉｏｎ  Ｄｕｐｌｅｘ、単に「ＴＤＤ」と称する）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、単に「ＵＭＴＳ」と称する）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、単に「ＷｉＭＡＸ」と称する）通信システム、５Ｇシステム、又は新しい無線（Ｎｅｗ  Ｒａｄｉｏ、単に「ＮＲ」と称する）システムのような様々な通信システムに適用されることが理解されるべきである。
【００３９】
本発明の実施例では、名詞「ネットワーク」及び「システム」は、しばしば互換的に使用されるが、当業者であれば、その意味が理解される。本発明の実施例に係る端末機器は、無線通信機能を有する様々なハンドヘルド機器、車載機器、ウェアラブル機器、計算機器又は無線モデムに接続される他の処理機器、及び様々な形のユーザ機器（Ｕｓｅｒ  Ｅｑｕｉｐｍｅｎｔ、単に「ＵＥ」と称する）、モバイルステーション（Ｍｏｂｉｌｅ  Ｓｔａｔｉｏｎ、単に「ＭＳ」と称する）、端末（Ｔｅｒｍｉｎａｌ）、端末機器（Ｔｅｒｍｉｎａｌ  Ｄｅｖｉｃｅ）等を含んでもよい。説明の便宜上、本発明の実施例では、上記で言及された機器を端末機器と総称する。
【００４０】
本発明の実施例では、ネットワーク機器は端末機器と通信するための機器であってもよく、このネットワーク機器は、ＬＴＥシステムにおける進化型基地局（Ｅｖｏｌｕｔｉｏｎａｌ  Ｎｏｄｅ  Ｂ、単に「ｅＮＢ」又は「ｅＮｏｄｅＢ」と称する）であってもよく、又はこのネットワーク機器は、中継局、アクセスポイント、車載機器、ウェアラブル機器、及び未来５Ｇネットワークにおけるネットワーク機器又は未来進化のＰＬＭＮネットワークにおけるネットワーク機器等であってもよい。
【００４１】
本発明の実施例に係るハンドオーバは、ＵＥが接続状態で、異なるセル間で移動するため、ＵＥが幾つかのシグナリングを介してＵＥのコンテキストの入れ替え及び更新を完了することを指していることが理解されるべきである。下りは、ネットワーク機器が端末機器に情報を送信することを指している。上りは、端末機器がネットワーク機器に情報を送信することを指している。
【００４２】
図１は、本発明の実施例に係る通信方法に適用される通信システムの概略構造図である。図１の通信システムは、サービングセル１０１ａを制御する元基地局１１０ａと、ターゲットセル１０１ｂを制御するターゲット基地局１１０ｂと、ＵＥ１２０と、を備える。しかしながら、本発明は、通信システムにおける元基地局１１０ａ、ターゲット基地局１１０ｂ及びＵＥ１２０の数について限定をしない。
【００４３】
サービングセルは、ＵＥ１２０の現在のサービングセルである。接続状態で、元基地局１１０ａ及びＵＥ１２０の間に通信リンクが確立され、且つ、この通信リンクを使用して通話及び／又はデータ伝送を行う。
【００４４】
元基地局１１０ａは、ＵＥ１２０がサービングセルからターゲットセルへハンドオーバする必要があって、ターゲット基地局１１０ｂがＵＥ１２０のハンドオーバを同意したことを決定した場合、ＵＥ１２０にハンドオーバ命令を送信する。ＵＥ１２０は、このハンドオーバ命令を受信した後、サービングセル１０１ａからターゲットセル１０１ｂへのハンドオーバを起動する。
【００４５】
図１に示すサービングセル１０１ａ及びターゲットセル１０１ｂは異なる基地局に属するが、単なる例に過ぎず、本発明の応用シナリオに対して限定を構成しない。例えば、サービングセル１０１ａ及びターゲットセル１０１ｂは同じ基地局に属してもよい。
【００４６】
以下、図１に示す応用シナリオに関連して、本発明の実施例に係るハンドオーバのための方法を説明する。図２は、本発明の実施例に係るハンドオーバのための方法を示しており、図２に示すように、方法２００は、下記のステップを含む。
【００４７】
Ｓ２１０：ネットワーク機器が、端末機器が送信した測定信号を受信する。
【００４８】
Ｓ２２０：ネットワーク機器が測定信号に基づき、端末機器がハンドオーバを行う必要があるか否かを決定する。
【００４９】
したがって、本発明の実施例に係るハンドオーバのための方法は、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【００５０】
上記の端末機器は、図１に示すＵＥ１２０であってもよく、ネットワーク機器は、図１に示す元基地局１１０ａであってもよいことが理解されるべきである。
【００５１】
また、方法２００に係るネットワーク機器は、この端末機器の現在の位置しているサービングセルに対応するネットワーク機器であってもよく、方法２００に係るネットワーク機器は、また、この端末機器の隣接セルに対応するネットワーク機器であってもよく、本発明は、これについて限定をしないことが理解されるべきである。
【００５２】
さらに、方法２００に係るネットワーク機器がこの端末機器の隣接セルに対応するネットワーク機器である場合、ネットワーク機器は、受信された測定信号に基づいて上りリンクの時間同期を行い、且つ端末機器の隣接セルの信号品質を決定できる。
【００５３】
本発明の実施例では、ネットワーク機器は、測定信号に基づいて端末機器がハンドオーバを行う必要があるか否かを決定する。測定信号は、ネットワーク機器により端末機器のリンク品質を測定するための信号であると理解される。
【００５４】
本発明の実施例では、測定信号は、ネットワーク機器により端末機器がハンドオーバを行うか否かを決定するために専門的に使用される信号として定義される信号であってもよい。測定信号はまた、その自体が、ネットワーク機器により端末機器がハンドオーバを行う必要があるか否かを決定するために使用される信号として専門的に定義される信号でなくてもよく、例えば、測定信号は上りサウンディング参照信号（Ｓｏｕｎｄｉｎｇ  Ｒｅｆｅｒｅｎｃｅ  Ｓｉｇｎａｌ、単に「ＳＲＳ」と称する）である。
【００５５】
選択的に、別の実施例として、測定信号はコードワードであり、本発明は、コードワードの具体的な形式に対して限定をしない。
【００５６】
上記の実施例では、選択的に、ネットワーク機器は、上位レイヤのシグナリング又は物理層シグナリングを介して、端末機器が周期的又は非周期的な方式で測定信号を送信するように通知する。さらに、端末機器は、ネットワーク機器の構成に応じて周期的にネットワーク機器に測定信号を送信する。又は端末機器は、ネットワーク機器の構成に応じて非周期的にネットワーク機器に測定信号を送信する。
【００５７】
本発明の実施例では、選択的に、図３に示すように、この方法２００は、下記のステップをさらに含む。
【００５８】
Ｓ２３０：ネットワーク機器が測定信号関連情報を取得し、この測定信号関連情報は、この測定信号に対応するパラメータの情報を指示するためのものである。
【００５９】
相応に、ネットワーク機器は、端末機器がハンドオーバする必要があるか否かを決定するとき、測定信号及び測定信号関連情報に基づき、この端末機器がハンドオーバを行う必要があるか否かを決定する。
【００６０】
選択的に、一例として、ネットワーク機器は、端末機器が送信したこの測定信号関連情報を受信する。
【００６１】
さらに、ネットワーク機器は、端末機器に制御情報を送信し、この制御情報は、この端末機器がネットワーク機器に測定信号及び／又は測定信号関連情報を送信するか否かを指示するためのものである。制御情報が、端末機器がネットワーク機器に測定信号及び／又は測定信号関連情報を送信することを指示する場合、端末機器は、ネットワーク機器に測定信号及び／又は測定信号関連情報を送信する。選択的に、ネットワーク機器は、端末機器専用制御シグナリングを介して端末機器に制御情報を送信する。
【００６２】
上記の実施例では、選択的に、測定信号関連情報は送信電力情報を含み、この送信電力情報は、このネットワーク機器がこの送信電力情報に基づいてこの測定信号の送信電力を決定するために使用される。
【００６３】
具体的に、送信電力情報は測定信号の送信電力の絶対値を含む。又は、送信電力情報は測定信号の送信電力の初期送信電力に対するオフセットを含み、ここで、この初期送信電力は、このネットワーク機器が端末機器のために構成した測定信号を送信するための電力である。又は、送信電力情報は端末機器の送信電力マージンを含む。
【００６４】
又は、送信電力情報は測定信号の送信電力の絶対値を指示するものと理解される。例えば、送信電力情報は、測定信号の送信電力が２０ｄＢｍであると指示する。又は、送信電力情報は測定信号の送信電力の初期送信電力に対するオフセットを指示する。例えば、ネットワーク機器により構成された端末機器の初期送信電力が２０ｄＢｍであり、送信電力情報が指示するオフセットが５ｄＢｍである場合、ネットワーク機器は、送信電力情報に基づき、端末機器が測定信号を送信するときの送信電力が１５ｄＢｍであると決定する。
【００６５】
本発明の実施例では、選択的に、端末機器は、上り制御チャネルを介してネットワーク機器に上り情報を送信し、この上り情報には送信電力情報が含まれている。
【００６６】
上り制御チャネルは、ＬＴＥシステムにおける物理上り制御チャネル（Ｐｈｙｓｉｃａｌ  Ｕｐｌｉｎｋ  Ｃｏｎｔｒｏｌ  Ｃｈａｎｎｅｌ、単に「ＰＵＣＣＨ」と称する）又は物理上り共有チャネル（Ｐｈｙｓｉｃａｌ  Ｕｐｌｉｎｋ  Ｓｈａｒｅｄ  Ｃｈａｎｎｅｌ、単に「ＰＵＳＣＨ」と称する）であってもよいことが理解される。
【００６７】
具体的に、上り制御チャネルで伝送される上り情報に予約情報ビットを導入でき、この予約情報ビットは、送信電力の絶対値及び／又は送信電力マージンを指示する。例えば、予約情報ビットのビット数と送信電力の絶対値及び／又は送信電力マージンを予め設定でき、ネットワーク機器は、予約情報ビットのビット数に基づいて送信電力の絶対値及び／又は送信電力マージンを決定できる。
【００６８】
又は、上り制御チャネルで伝送される上り情報に直接に送信電力の絶対値及び／又は送信電力マージンを含むことができ、ネットワーク機器は、直接に上り情報により送信電力の絶対値及び／又は送信電力マージンを決定できる。
【００６９】
又は、上り制御チャネルで伝送される上り情報に送信電力のインデックス値を導入できる。事前にネットワーク機器及び端末機器に送信電力のインデックス値と送信電力の絶対値及び／又は送信電力マージンとの対応関係を構成し、ネットワーク機器は、上り情報における送信電力のインデックス値及びこの対応関係に基づき、送信電力の絶対値及び／又は送信電力マージンを決定できる。
【００７０】
選択的に、別の例として、ネットワーク機器は、端末機器が送信したメディアアクセス制御（Ｍｅｄｉｕｍ  Ａｃｃｅｓｓ  Ｃｏｎｔｒｏｌ、単に「ＭＡＣ」と称する）層のＭＡＣ制御エレメント（Ｃｏｎｔｒｏｌ  Ｅｌｅｃｍｅｎｔ、単に「ＣＥ」と称する）を受信する。ＭＡＣ  ＣＥには送信電力の絶対値及び／又は送信電力マージン、及び送信電力のインデックス値等の情報が含まれている。
【００７１】
本発明の実施例では、選択的に、ネットワーク機器は、測定信号又は測定信号のモードと送信電力との対応関係に基づき、送信電力情報を決定する。
【００７２】
具体的に、ネットワーク機器は、測定信号又は測定信号のモードと送信電力のレベルとの対応関係に基づき、送信電力情報を決定する。ここで、送信電力のレベルは、具体的に送信電力の絶対値に対応してもよいが、送信電力のレベルは、また、具体的に送信電力の初期送信電力に対するオフセットに対応してもよい。
【００７３】
例えば、測定信号がＳＲＳ１である場合に送信電力のレベル１に対応し、測定信号がＳＲＳ２である場合に送信電力のレベル２に対応する。選択的に、端末機器がＳＲＳ１及びＳＲＳ２を送信するときに占有するサブフレームは完全に同じではない。
【００７４】
ここで、送信電力のレベルは空間分割により区分できる。例えば、アンテナポート１は電力レベル１に対応し、アンテナポート２は電力レベル２に対応する。ネットワーク機器は、測定信号の送信ポートを決定した後、アンテナポートと電力レベルとの対応関係に基づき、送信電力の絶対値及び／又は送信電力の初期送信電力に対するオフセットを決定できる。
【００７５】
又は、送信電力のレベルは、また時間周波数リソースによって区分できる。例えば、時間周波数リソースブロック１は電力レベル１に対応し、時間周波数リソースブロック２は電力レベル２に対応する。ネットワーク機器は、端末機器により測定信号を送信するために使用される時間周波数リソースブロックを決定した後、時間周波数リソースブロックと電力レベルとの対応関係に基づき、送信電力の絶対値及び／又は送信電力の初期送信電力に対するオフセットを決定できる。
【００７６】
又は、送信電力のレベルは、コードワードによって区分できる。例えば、コードワード１は電力レベル１に対応し、コードワード２は電力レベル２に対応する。ネットワーク機器は、測定チャネルに対応するコードワードを決定した後、コードワードと電力レベルとの対応関係に基づき、送信電力の絶対値及び／又は送信電力の初期送信電力に対するオフセットを決定できる。
【００７７】
上記の全ての実施例では、選択的に、ネットワーク機器が測定信号及び測定信号関連情報に基づき、端末機器がハンドオーバを行う必要があるか否かを決定するとき、ネットワーク機器は、前記測定信号及び測定信号関連情報に基づき、上り信号の信号品質を決定する。その後、ネットワーク機器は、決定された信号品質に基づいて端末機器がハンドオーバを行う必要があるか否かを決定する。
【００７８】
具体的に、ネットワーク機器は、測定信号及び送信電力情報に基づき、アップリンクパスロス状況を決定し、アップリンクパスロス状況に基づいて端末機器の現在のサービングセルの上り信号の信号品質を決定できる。ネットワーク機器は、現在のサービングセルの上り信号の信号品質、及び隣接セルの上り信号の信号品質に基づき、端末機器がハンドオーバを行う必要があるか否かを決定する。
【００７９】
例えば、ネットワーク機器が、現在のサービングセルの上り信号の信号強度が第１の予定閾値より低いと決定した場合、端末機器がハンドオーバを行う必要があると決定する。又は、ネットワーク機器が、現在のサービングセルの上り信号の信号強度が第２の閾値より低くて、隣接セルの上り信号の信号強度が第３の閾値より高いと決定した場合、ネットワーク機器は、端末機器がハンドオーバを行う必要があると決定し、第２の閾値は第３の閾値に等しくてもよい。又は、ネットワーク機器が、現在のサービングセルの上り信号の信号強度と隣接セルの上り信号の信号強度との差が第４の閾値より大きいと決定した場合、ネットワーク機器は、端末機器がハンドオーバを行う必要があると決定する。
【００８０】
さらに、ネットワーク機器が端末機器の現在のサービングセルの上り信号の信号品質を決定した後、ネットワーク機器は、決定された信号品質及び下りチャネル性能に基づいて端末機器がハンドオーバを行う必要があるか否かを決定する。
【００８１】
例えば、ネットワーク機器が、現在のサービングセルの上り信号の信号強度が第１の予定閾値より低く、且つ端末機器の現在の下りチャネルのビット誤り率が第２の予定閾値より高いと決定した場合、ネットワーク機器は、端末機器がハンドオーバを行う必要があると決定する。又は、ネットワーク機器が、現在のサービングセルの上り信号の信号強度が第２の閾値より低くて、隣接セルの上り信号の信号強度が第３の閾値より高く、且つ端末機器の現在の下りチャネルのビット誤り率が第４の予定閾値より高いと決定した場合、ネットワーク機器は、端末機器がハンドオーバを行う必要があると決定する。又は、ネットワーク機器が、現在のサービングセルの上り信号の信号強度と隣接セルの上り信号の信号強度との差が第４の閾値より大きく、且つ端末機器の現在の下りチャネルのビット誤り率が第５の予定閾値より高いと決定した場合、ネットワーク機器は、端末機器がハンドオーバを行う必要があると決定する。又は、ネットワーク機器が、現在のサービングセルの上り信号の信号強度が第６の予定閾値より高いが、端末機器の現在の下りチャネルのビット誤り率が第６の予定閾値より高いと決定した場合、ネットワーク機器は、端末機器がハンドオーバを行う必要があると決定する。
【００８２】
上記の全ての実施例では、選択的に、ネットワーク機器が、端末機器が送信した測定信号を受信する前に、ネットワーク機器は、端末機器に初期送信電力、送信電力のインデックス値、測定信号又は測定信号のモードと送信電力のレベルとの対応関係、及び送信電力情報と上り情報における予約情報ビットとの対応関係のうちの少なくとも１つの情報を送信する。さらに、ネットワーク機器は、端末機器専用シグナリングを介して端末機器に上記の情報を送信する。
【００８３】
上記の全ての実施例では、選択的に、ネットワーク機器が、端末機器がハンドオーバを行う必要があると決定した場合、ネットワーク機器はハンドオーバ要求をターゲットネットワーク機器に送信し、ターゲットネットワーク機器はその要求を確認する。ターゲット基地局はハンドオーバに必要なリソースを端末機器に送信し、その後、端末機器はターゲット基地局が属するセルと同期される。
【００８４】
以上、図２及び図３に関連して、ネットワーク機器側から本発明の実施例に係るハンドオーバのための方法を詳細に説明しており、以下は、図４及び図５に関連して、端末機器側から本発明の実施例に係るハンドオーバのための方法を詳細に説明する。ネットワーク機器側で説明された端末機器とネットワーク機器とのインタラクション及び関連特性、機能等は、端末機器側の説明に対応しており、簡潔にするために、重複する説明は適宜省略することが理解されるべきである。図４に示すように、方法３００は、下記のステップを含む。
【００８５】
Ｓ３１０：端末機器が測定信号を生成する。
【００８６】
Ｓ３２０：この端末機器がネットワーク機器にこの測定信号を送信する。
【００８７】
したがって、本発明の実施例に係るハンドオーバのための方法は、端末機器がネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【００８８】
本発明の実施例では、選択的に、図５に示すように、この方法３００は、下記のステップをさらに含む。
【００８９】
Ｓ３３０：この端末機器がこのネットワーク機器に測定信号関連情報を送信し、この測定信号関連情報は、この測定信号に対応するパラメータの情報を指示するためのものである。
【００９０】
本発明の実施例では、選択的に、この測定信号関連情報は送信電力情報を含み、この送信電力情報は、このネットワーク機器がこの送信電力情報に基づいてこの測定信号の送信電力を決定するために使用される。
【００９１】
本発明の実施例では、選択的に、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【００９２】
本発明の実施例では、選択的に、この端末機器がこのネットワーク機器に測定信号関連情報を送信するステップは、この端末機器が上り制御チャネルを介して上り情報を送信するステップを含み、この上り情報にはこの送信電力情報が含まれている。
【００９３】
本発明の実施例では、選択的に、この上り情報における予約情報ビットにはこの送信電力情報が含まれ、又は、この送信電力情報は送信電力のインデックス値である。
【００９４】
本発明の実施例では、選択的に、この端末機器がこのネットワーク機器に測定信号関連情報を送信するステップは、この端末機器がこのネットワーク機器にメディアアクセス制御の制御エレメントＭＡＣ  ＣＥを送信するステップを含み、このＭＡＣ  ＣＥにはこの送信電力情報が含まれている。
【００９５】
本発明の実施例では、選択的に、この方法は、この端末機器が、このネットワーク機器が送信した初期送信電力、送信電力のインデックス値、測定信号又は測定信号のモードと送信電力のレベルとの対応関係、及び送信電力情報と上り情報における予約情報ビットとの対応関係のうちの少なくとも１つの情報を受信するステップをさらに含む。
【００９６】
本発明の実施例では、選択的に、この方法は、この端末機器が、このネットワーク機器が送信した制御情報を受信するステップをさらに含み、この制御情報は、この端末機器がこのネットワーク機器に測定信号及び／又は測定信号関連情報を送信するか否かを指示するためのものであり、
ここで、この端末機器がこのネットワーク機器にこの測定信号を送信するステップは、この制御情報が、この端末機器がこのネットワーク機器に測定信号を送信することを指示する場合、この端末機器がこのネットワーク機器にこの測定信号を送信するステップを含む。
【００９７】
したがって、本発明の実施例に係るハンドオーバのための方法は、端末機器がネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【００９８】
以上、図４及び図５に関連して、本発明の別の実施例に係るハンドオーバのための方法を詳細に説明した。以下は、図６に関連して、本発明の実施例に係るネットワーク機器を詳細に説明する。
【００９９】
図６は、本発明の実施例に係るネットワーク機器を示している。図６に示すように、ネットワーク機器１０は、送受信モジュール１１と決定モジュール１２を備える。
【０１００】
送受信モジュール１１は、端末機器が送信した測定信号を受信するために使用される。
【０１０１】
決定モジュール１２は、この測定信号に基づき、この端末機器がハンドオーバを行う必要があるか否かを決定するために使用される。
【０１０２】
したがって、本発明の実施例に係るネットワーク機器は、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１０３】
本発明の実施例では、選択的に、この決定モジュール１２は、また、測定信号関連情報を取得するために使用され、この測定信号関連情報は、この測定信号に対応するパラメータの情報を指示するためのものであり、
ここで、この測定信号に基づき、この端末機器がハンドオーバを行う必要があるか否かを決定するには、この決定モジュール１２は、具体的に、この測定信号及びこの測定信号関連情報に基づき、この端末機器がハンドオーバを行う必要があるか否かを決定するために使用される。
【０１０４】
本発明の実施例では、選択的に、この送受信モジュール１１は、また、この端末機器が送信したこの測定信号関連情報を受信するために使用される。
【０１０５】
本発明の実施例では、選択的に、この測定信号関連情報は送信電力情報を含み、この送信電力情報は、このネットワーク機器がこの送信電力情報に基づいてこの測定信号の送信電力を決定するために使用され、
ここで、この決定モジュール１２は、具体的に、この送信電力情報を取得するために使用される。
【０１０６】
本発明の実施例では、選択的に、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【０１０７】
本発明の実施例では、選択的に、この送受信モジュール１１は、具体的に、この端末機器が上り制御チャネルを介して送信した上り情報を受信するために使用され、この上り情報にはこの送信電力情報が含まれている。
【０１０８】
本発明の実施例では、選択的に、この上り情報における予約情報ビットにはこの送信電力情報が含まれ、又は、この送信電力情報は送信電力のインデックス値である。
【０１０９】
本発明の実施例では、選択的に、この送受信モジュール１１は、具体的に、この端末機器が送信したメディアアクセス制御の制御エレメントＭＡＣ  ＣＥを受信するために使用され、このＭＡＣ  ＣＥにはこの送信電力情報が含まれている。
【０１１０】
本発明の実施例では、選択的に、この決定モジュール１２は、具体的に、この測定信号又は測定信号のモードと送信電力との対応関係に基づき、この送信電力情報を決定するために使用される。
【０１１１】
本発明の実施例では、選択的に、この決定モジュール１２は、具体的に、この測定信号又はこの測定信号のモードと送信電力のレベルとの対応関係に基づき、この送信電力情報を決定するために使用される。
【０１１２】
本発明の実施例では、選択的に、この決定モジュール１２は、具体的に、この測定信号の送信ポートを決定し、送信ポートと送信電力との対応関係に基づき、この送信電力情報を決定する、又は、この測定信号に対応する時間周波数リソースを決定し、時間周波数リソースと送信電力との対応関係に基づき、この送信電力情報を決定する、又は、この測定信号に対応するコードワードを決定し、コードワードと送信電力との対応関係に基づき、この送信電力情報を決定するために使用される。
【０１１３】
本発明の実施例では、選択的に、この決定モジュール１２は、具体的に、この測定信号及びこの測定信号関連情報に基づき、上り信号の信号品質を決定し、この信号品質に基づき、この端末機器がハンドオーバを行う必要があるか否かを決定する、又は、この信号品質及び下りチャネルの性能に基づき、この端末機器がハンドオーバを行う必要があるか否かを決定するために使用される。
【０１１４】
本発明の実施例では、選択的に、この送受信モジュール１１が、端末機器が送信した測定信号を受信する前に、この送受信モジュール１１は、また、この端末機器に初期送信電力、送信電力のインデックス値、測定信号又は測定信号のモードと送信電力又は送信電力のレベルとの対応関係、及び送信電力情報と上り情報における予約情報ビットとの対応関係のうちの少なくとも１つの情報を送信するために使用される。
【０１１５】
本発明の実施例では、選択的に、この送受信モジュール１１は、また、この端末機器に制御情報を送信するために使用され、この制御情報は、この端末機器がこのネットワーク機器に測定信号及び／又は測定信号関連情報を送信するか否かを指示するためのものである。
【０１１６】
本発明の実施例に係るネットワーク機器に関しては、本発明の実施例に係るハンドオーバのための方法２００に対応するフローを参照でき、且つ、このネットワーク機器における各ユニット／モジュール及び上記の他の動作及び／又は機能のそれぞれは、方法２００における対応するフローを実現するために使用され、簡潔にするために、ここで詳細な説明を省略する。
【０１１７】
したがって、本発明の実施例に係るネットワーク機器は、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１１８】
図７は、本発明の実施例に係る端末機器を示しており、図７に示すように、端末機器２０は、生成モジュール２１と送受信モジュール２２を備える。
【０１１９】
生成モジュール２１は、測定信号を生成するために使用される。
【０１２０】
送受信モジュール２２は、ネットワーク機器にこの測定信号を送信するために使用される。
【０１２１】
したがって、本発明の実施例に係る端末機器は、ネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１２２】
本発明の実施例では、選択的に、この送受信モジュール２２は、具体的に、このネットワーク機器に測定信号関連情報を送信するために使用され、この測定信号関連情報は、この測定信号に対応するパラメータの情報を指示するためのものである。
【０１２３】
本発明の実施例では、選択的に、この測定信号関連情報は送信電力情報を含み、この送信電力情報は、このネットワーク機器がこの送信電力情報に基づいてこの測定信号の送信電力を決定するために使用される。
【０１２４】
本発明の実施例では、選択的に、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【０１２５】
本発明の実施例では、選択的に、この送受信モジュール２１は、また、上り制御チャネルを介して上り情報を送信するために使用され、この上り情報にはこの送信電力情報が含まれている。
【０１２６】
本発明の実施例では、選択的に、この上り情報における予約情報ビットにはこの送信電力情報が含まれ、又は、この送信電力情報は送信電力のインデックス値である。
【０１２７】
本発明の実施例では、選択的に、この送受信モジュール２１は、具体的に、このネットワーク機器にメディアアクセス制御の制御エレメントＭＡＣ  ＣＥを送信するために使用され、このＭＡＣ  ＣＥにはこの送信電力情報が含まれている。
【０１２８】
本発明の実施例では、選択的に、この送受信モジュール２１は、また、このネットワーク機器が送信した初期送信電力、送信電力のインデックス値、測定信号又は測定信号のモードと送信電力又は送信電力のレベルとの対応関係、及び送信電力情報と上り情報における予約情報ビットとの対応関係のうちの少なくとも１つの情報を受信するために使用される。
【０１２９】
本発明の実施例では、選択的に、この送受信モジュール２１は、また、このネットワーク機器が送信した制御情報を受信するために使用され、この制御情報は、この端末機器がこのネットワーク機器に測定信号及び／又は測定信号関連情報を送信するか否かを指示するためのものであり、
ここで、このネットワーク機器にこの測定信号を送信するには、この送受信モジュール２１は、具体的に、この制御情報が、この端末機器がこのネットワーク機器に測定信号を送信することを指示する場合、このネットワーク機器にこの測定信号を送信するために使用される。
【０１３０】
本発明の実施例に係る端末機器に関しては、本発明の実施例に係るハンドオーバのための方法３００に対応するフローを参照でき、且つ、この端末機器における各ユニット／モジュール及び上記の他の動作及び／又は機能のそれぞれは、方法３００における対応するフローを実現するために使用され、簡潔にするために、ここで詳細な説明を省略する。
【０１３１】
したがって、本発明の実施例に係る端末機器は、ネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１３２】
図８は、本発明の別の実施例に係るネットワーク機器を示している。図８に示すように、ネットワーク機器１００は、プロセッサー１１０及び送受信器１２０を備え、プロセッサー１１０及び送受信器１２０は互いに接続され、選択的に、このネットワーク機器１００は、メモリ１３０をさらに備え、メモリ１３０はプロセッサー１１０と互いに接続され、さらに選択的に、このネットワーク機器１００は、バスシステム１４０を備える。ここで、プロセッサー１１０、メモリ１３０及び送受信器１２０は、バスシステム１４０を介して互いに接続されることができ、このメモリ１３０は命令を記憶するために使用されることができ、このプロセッサー１１０はこのメモリ１３０に記憶された命令を実行することにより、送受信器１２０が情報を送信し、又は情報を受信するように制御するために使用される。ここで、送受信器１２０は、端末機器が送信した測定信号を受信するために使用され、このプロセッサー１１０は、この測定信号に基づき、この端末機器がハンドオーバを行う必要があるか否かを決定するために使用される。
【０１３３】
したがって、本発明の実施例に係るネットワーク機器は、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１３４】
本発明の実施例では、このプロセッサー１１０は中央処理装置（Ｃｅｎｔｒａｌ  Ｐｒｏｃｅｓｓｉｎｇ  Ｕｎｉｔ、単に「ＣＰＵ」と称する）であってもよく、このプロセッサー１１０はまた、他の汎用プロセッサー、デジタル信号プロセッサー（ＤＳＰ）、特定用途向け集積回路（ＡＳＩＣ）、フィールドプログラマブルゲートアレイ（ＦＰＧＡ）又は他のプログラマブル論理デバイス、個別ゲート又はトランジスタ論理デバイス、個別ハードウェアコンポーネント等であってもよいことが理解されるべきである。汎用プロセッサーはマイクロプロセッサーであってもよく、又は、このプロセッサーはまた、いずれかの通常のプロセッサー等であってもよい。
【０１３５】
このメモリ１３０は、読み取り専用メモリ及びランダムアクセスメモリを含んでもよく、プロセッサー１１０に命令及びデータを提供する。メモリ１３０の一部は、また、不揮発性ランダムアクセスメモリを含んでもよい。例えば、メモリ１３０は、また機器タイプの情報を記憶してもよい。
【０１３６】
このバスシステム１３０は、データバス以外に、また、電源バス、制御バス及び状態信号バス等を含んでもよい。しかしながら、明確に説明するために、図面において様々なバスをバスシステム１３０として表記する。
【０１３７】
実現時に、上記の方法の各ステップは、プロセッサー１１内のハードウェアの集積論理回路又はソフトウェアの形の命令により完了されることができる。本発明の実施例に開示された方法のステップに関連して、直接にハードウェアプロセッサーにより実行されて完了し、又はプロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に配置されてもよい。この記録媒体はメモリ１３０に配置され、プロセッサー１１０はメモリ１３０内の情報を読み取り、そのハードウェアと組み合わせて上記の方法のステップを完了する。重複を避けるために、ここで詳細な説明を省略する。
【０１３８】
選択的に、一実施例として、このプロセッサー１１０は、また、測定信号関連情報を取得するために使用され、この測定信号関連情報は、この測定信号に対応するパラメータの情報を指示するためのものであり、
ここで、この測定信号に基づき、この端末機器がハンドオーバを行う必要があるか否かを決定するには、このプロセッサー１１０は、具体的に、この測定信号及びこの測定信号関連情報に基づき、この端末機器がハンドオーバを行う必要があるか否かを決定するために使用される。
【０１３９】
選択的に、一実施例として、この送受信器１２０は、また、この端末機器が送信したこの測定信号関連情報を受信するために使用される。
【０１４０】
選択的に、一実施例として、この測定信号関連情報は送信電力情報を含み、この送信電力情報は、このネットワーク機器がこの送信電力情報に基づいてこの測定信号の送信電力を決定するために使用され、
ここで、このプロセッサー１１０は、具体的に、この送信電力情報を取得するために使用される。
【０１４１】
選択的に、一実施例として、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【０１４２】
選択的に、一実施例として、この送受信器１２０は、具体的に、この端末機器が上り制御チャネルを介して送信した上り情報を受信するために使用され、この上り情報にはこの送信電力情報が含まれている。
【０１４３】
選択的に、一実施例として、この上り情報における予約情報ビットにはこの送信電力情報が含まれ、又は、この送信電力情報は送信電力のインデックス値である。
【０１４４】
選択的に、一実施例として、この送受信器１２０は、具体的に、この端末機器が送信したメディアアクセス制御の制御エレメントＭＡＣ  ＣＥを受信するために使用され、このＭＡＣ  ＣＥにはこの送信電力情報が含まれている。
【０１４５】
選択的に、一実施例として、このプロセッサー１１０は、具体的に、この測定信号又は測定信号のモードと送信電力との対応関係に基づき、この送信電力情報を決定するために使用される。
【０１４６】
選択的に、一実施例として、このプロセッサー１１０は、具体的に、この測定信号又はこの測定信号のモードと送信電力のレベルとの対応関係に基づき、この送信電力情報を決定するために使用される。
【０１４７】
選択的に、一実施例として、このプロセッサー１１０は、具体的に、この測定信号の送信ポートを決定し、送信ポートと送信電力との対応関係に基づき、この送信電力情報を決定する、又は、この測定信号に対応する時間周波数リソースを決定し、時間周波数リソースと送信電力との対応関係に基づき、この送信電力情報を決定する、又は、この測定信号に対応するコードワードを決定し、コードワードと送信電力との対応関係に基づき、この送信電力情報を決定するために使用される。
【０１４８】
選択的に、一実施例として、このプロセッサー１１０は、具体的に、この測定信号及びこの測定信号関連情報に基づき、上り信号の信号品質を決定し、この信号品質に基づき、この端末機器がハンドオーバを行う必要があるか否かを決定する、又は、この信号品質及び下りチャネルの性能に基づき、この端末機器がハンドオーバを行う必要があるか否かを決定するために使用される。
【０１４９】
選択的に、一実施例として、この送受信器１２０が、端末機器が送信した測定信号を受信する前に、この送受信器１２０は、また、この端末機器に初期送信電力、送信電力のインデックス値、測定信号又は測定信号のモードと送信電力又は送信電力のレベルとの対応関係、及び送信電力情報と上り情報における予約情報ビットとの対応関係のうちの少なくとも１つの情報を送信するために使用される。
【０１５０】
選択的に、一実施例として、この送受信器１２０は、また、この端末機器に制御情報を送信するために使用され、この制御情報は、この端末機器がこのネットワーク機器に測定信号及び／又は測定信号関連情報を送信するか否かを指示するためのものである。
【０１５１】
本発明の実施例に係るネットワーク機器に関しては、本発明の実施例に係るハンドオーバのための方法２００に対応するフローを参照でき、且つ、このネットワーク機器における各ユニット／モジュール及び上記の他の動作及び／又は機能のそれぞれは、方法２００における対応するフローを実現するために使用され、簡潔にするために、ここで詳細な説明を省略する。
【０１５２】
したがって、本発明の実施例に係るネットワーク機器は、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１５３】
図９は、本発明の別の実施例に係る端末機器の概略ブロック図を示しており、図９に示すように、端末機器２００は、プロセッサー２１０及び送受信器２２０を備え、プロセッサー２１０及び送受信器２２０は互いに接続され、選択的に、この端末機器２００は、メモリ２３０をさらに備え、メモリ２３０はプロセッサー２１０と互いに接続され、さらに選択的に、この端末機器２００は、バスシステム２４０を備える。ここで、プロセッサー２１０、メモリ２３０及び送受信器２２０は、バスシステム２４０を介して互いに接続されることができ、このメモリ２３０は、命令を記憶するために使用されることができ、このプロセッサー２１０は、このメモリ２３０に記憶された命令を実行することにより、送受信器２２０が情報を送信し、又は情報を受信するように制御するために使用される。ここで、このプロセッサー２１０は、測定信号を生成するために使用され、この送受信器２２０は、前記ネットワーク機器に前記測定信号を送信するために使用される。
【０１５４】
したがって、本発明の実施例に係る端末機器は、ネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１５５】
本発明の実施例では、このプロセッサー２１０は中央処理装置（Ｃｅｎｔｒａｌ  Ｐｒｏｃｅｓｓｉｎｇ  Ｕｎｉｔ、単に「ＣＰＵ」と称する）であってもよく、このプロセッサー２１０はまた、他の汎用プロセッサー、デジタル信号プロセッサー（ＤＳＰ）、特定用途向け集積回路（ＡＳＩＣ）、フィールドプログラマブルゲートアレイ（ＦＰＧＡ）又は他のプログラマブル論理デバイス、個別ゲート又はトランジスタ論理デバイス、個別ハードウェアコンポーネント等であってもよいことが理解されるべきである。汎用プロセッサーはマイクロプロセッサーであってもよく、又は、このプロセッサーはまた、いずれかの通常のプロセッサー等であってもよい。
【０１５６】
このメモリ２３０は、読み取り専用メモリ及びランダムアクセスメモリを含んでもよく、プロセッサー２１０に命令及びデータを提供する。メモリ２３０の一部は、また、不揮発性ランダムアクセスメモリを含んでもよい。例えば、メモリ２３０は、また機器タイプの情報を記憶してもよい。
【０１５７】
このバスシステム２４０は、データバス以外に、また、電源バス、制御バス及び状態信号バス等を含んでもよい。しかしながら、明確に説明するために、図面において様々なバスをバスシステム２４０として表記する。
【０１５８】
実現時に、上記の方法の各ステップは、プロセッサー２１０におけるハードウェアの集積論理回路又はソフトウェアの形の命令により完了されることができる。本発明の実施例に開示された方法のステップに関連して、直接にハードウェアプロセッサーにより実行されて完了し、又はプロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に配置されてもよい。この記録媒体はメモリ２３０に配置され、プロセッサー２１０はメモリ２３０内の情報を読み取り、そのハードウェアと組み合わせて上記の方法のステップを完了する。重複を避けるために、ここで詳細な説明を省略する。
【０１５９】
選択的に、一実施例として、この送受信器２２０は、具体的に、このネットワーク機器に測定信号関連情報を送信するために使用され、この測定信号関連情報は、この測定信号に対応するパラメータの情報を指示するためのものである。
【０１６０】
選択的に、一実施例として、この測定信号関連情報は送信電力情報を含み、この送信電力情報は、このネットワーク機器がこの送信電力情報に基づいてこの測定信号の送信電力を決定するために使用される。
【０１６１】
選択的に、一実施例として、この送信電力情報はこの測定信号の送信電力の絶対値を含み、又は、この送信電力情報はこの測定信号の送信電力の初期送信電力に対するオフセットを含み、ここで、この初期送信電力は、このネットワーク機器がこの端末機器のために構成した測定信号を送信するための電力であり、又は、この送信電力情報はこの端末機器の送信電力マージンを含む。
【０１６２】
選択的に、一実施例として、この送受信器２２０は、また、上り制御チャネルを介して上り情報を送信するために使用され、この上り情報にはこの送信電力情報が含まれている。
【０１６３】
選択的に、一実施例として、この上り情報における予約情報ビットにはこの送信電力情報が含まれ、又は、この送信電力情報は送信電力のインデックス値である。
【０１６４】
選択的に、一実施例として、この送受信器２２０は、具体的に、このネットワーク機器にメディアアクセス制御の制御エレメントＭＡＣ  ＣＥを送信するために使用され、このＭＡＣ  ＣＥにはこの送信電力情報が含まれている。
【０１６５】
選択的に、一実施例として、この送受信器２２０は、また、このネットワーク機器が送信した初期送信電力、送信電力のインデックス値、測定信号又は測定信号のモードと送信電力のレベルとの対応関係、及び送信電力情報と上り情報における予約情報ビットとの対応関係のうちの少なくとも１つの情報を受信するために使用される。
【０１６６】
選択的に、一実施例として、この送受信器２２０は、また、このネットワーク機器が送信した制御情報を受信するために使用され、この制御情報は、この端末機器がこのネットワーク機器に測定信号及び／又は測定信号関連情報を送信するか否かを指示するためのものであり、
ここで、このネットワーク機器にこの測定信号を送信するには、この送受信器２２０は、具体的に、この制御情報が、この端末機器がこのネットワーク機器に測定信号を送信することを指示する場合、このネットワーク機器にこの測定信号を送信するために使用される。
【０１６７】
本発明の実施例に係る端末機器に関しては、本発明の実施例に係るハンドオーバのための方法３００に対応するフローを参照でき、且つ、この端末機器における各ユニット／モジュール及び上記の他の動作及び／又は機能のそれぞれは、方法３００における対応するフローを実現するために使用され、簡潔にするために、ここで詳細な説明を省略する。
【０１６８】
したがって、本発明の実施例に係る端末機器は、ネットワーク機器に測定信号を送信することにより、ネットワーク機器が、端末機器が送信した測定信号に基づき、端末機器がハンドオーバを行う必要があるか否かを決定する。これにより、ネットワーク機器が端末機器に対して測定構成を行い、及び端末機器が測定結果を報告する必要がない。したがって、シグナリングオーバーヘッド及び伝送リソースを節約し、伝送リソースの利用率を向上できる。
【０１６９】
本明細書を通して使用される「１つの実施例」又は「一実施例」は、実施例に関連する特定の特徴、構造又は特性が本発明の少なくとも1つの実施例に含まれることを意味することが理解されるべきである。したがって、本明細書を通して様々な箇所で記載される「1つの実施例では」又は「一実施例では」は、必ずしも同じ実施例を指すものではない。また、これらの特定の特徴、構造又は特性は、１つ又は複数の実施例において任意の適切な方式で組み合わせることができる。
【０１７０】
本明細書における用語「及び／又は」は、関連するオブジェクトを説明する関連付けにすぎず、３つの関係が存在できることを表し、例えば、Ａ及び／又はＢは、Ａが単独に存在し、Ａ及びＢが同時に存在し、Ｂが単独に存在する３つの場合を表すことが理解されるべきである。また、本明細書における符号「／」は、一般的に前後関連するオブジェクトの間が「又は」の関係であることを表す。
【０１７１】
本発明の各実施例では、上記の各フローの番号の大きさは、実行する前後順序を意味するものではなく、各フローの実行順序は、その機能及び内部論理により決定されるべきであり、本発明の実施例に係る実施フローに対していずれかの限定を構成しないことが理解されるべきである。
【０１７２】
当業者であれば、本明細書に開示された実施例に関連して説明された各方法のステップ及びユニットは、電子ハードウェア、コンピュータソフトウェア、又は両者の組み合わせで実現でき、ハードウェア及びソフトウェアの互換性を明確に説明するために、上記の説明において機能によって各実施例のステップ及び構成を一般的に説明していることが認識される。これらの機能がハードウェアで実行されるかソフトウェアで実行されるかは、技術手段の特定の応用及び設計上の制約条件によって異なる。当業者であれば、特定の応用ごとに異なる方法を使用して説明された機能を実現できるが、このような実現が本発明の範囲を超えると考慮されるべきではない。
【０１７３】
本明細書に開示された実施例に関連して説明された方法又はステップは、ハードウェア、プロセッサーにより実行されるソフトウェアプログラム、又は両者の組み合わせで実施できる。ソフトウェアプログラムは、ランダムアクセスメモリ（Ｒａｎｄｏｍ  Ａｃｃｅｓｓ  Ｍｅｍｏｒｙ，ＲＡＭ）、メモリ、読み取り専用メモリ（Ｒｅａｄ−Ｏｎｌｙ  Ｍｅｍｏｒｙ，ＲＯＭ）、電気的にプログラマブル読み取り専用メモリ（Ｅｌｅｃｔｒｉｃａｌｌｙ  Ｐｒｏｇｒａｍｍａｂｌｅ  Ｒｅａｄ−Ｏｎｌｙ  Ｍｅｍｏｒｙ，ＥＰＲＯＭ）、電気的に消去可能なプログラマブル読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ，ＥＥＰＲＯＭ）、レジスタ、ハードディスク、リムーバブルディスク、コンパクトディスク読み取り専用メモリ（Ｃｏｍｐａｃｔ  Ｄｉｓｃ  Ｒｅａｄ−Ｏｎｌｙ  Ｍｅｍｏｒｙ，ＣＤ−ＲＯＭ）、又は技術分野内で周知の任意の他の形の記録媒体に配置されてもよい。
【０１７４】
本発明に提供された幾つかの実施例において、開示されたシステム、装置及び方法は、他の方式で実現されてもよいことが理解されるべきである。例えば、上述のような装置の実施例は、単なる例示的なものにすぎず、例えば、そのユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。
【０１７５】
この分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１７６】
なお、本発明の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【０１７７】
以上、図面を参照しながら好ましい実施例に関連して本発明を詳細に説明しているが、本発明はこれに限定されない。当業者であれば、本発明の精神及び本質から逸脱することなく、本発明の実施例に対して様々な等価の修正又は置換を行うことができ、これらの修正又は置換はいずれも本発明の範囲内に含まれる。
【手続補正２】
【補正対象書類名】特許請求の範囲
【補正対象項目名】全文
【補正方法】変更
【補正の内容】
【特許請求の範囲】
【請求項１】
ネットワーク機器が、端末機器が送信した測定信号を受信するステップと、
前記ネットワーク機器が前記測定信号に基づき、前記端末機器がハンドオーバを行う必要があるか否かを決定するステップと、を含む
ことを特徴とするハンドオーバのための方法。
【請求項２】
前記ネットワーク機器が測定信号関連情報を取得するステップをさらに含み、前記測定信号関連情報は、前記測定信号に対応するパラメータの情報を指示するためのものであり、
ここで、前記ネットワーク機器が前記測定信号に基づき、前記端末機器がハンドオーバを行う必要があるか否かを決定するステップは、
前記ネットワーク機器が前記測定信号及び前記測定信号関連情報に基づき、前記端末機器がハンドオーバを行う必要があるか否かを決定するステップを含む
ことを特徴とする請求項１に記載の方法。
【請求項３】
前記測定信号関連情報は送信電力情報を含み、前記送信電力情報は、前記ネットワーク機器が前記送信電力情報に基づいて前記測定信号の送信電力を決定するために使用され、
ここで、前記ネットワーク機器が測定信号関連情報を取得するステップは、
前記ネットワーク機器が前記送信電力情報を取得するステップを含み、
前記送信電力情報は前記測定信号の送信電力の絶対値を含み、又は、
前記送信電力情報は前記測定信号の送信電力の初期送信電力に対するオフセットを含み、ここで、前記初期送信電力は、前記ネットワーク機器が前記端末機器のために構成した測定信号を送信するための電力であり、又は、
前記送信電力情報は前記端末機器の送信電力マージンを含む
ことを特徴とする請求項２に記載の方法。
【請求項４】
前記ネットワーク機器が前記送信電力情報を取得するステップは、
前記ネットワーク機器が、前記端末機器が上り制御チャネルＰＵＣＣＨを介して送信した上り情報を受信するステップを含み、前記上り情報には前記送信電力情報が含まれ、
前記上り情報における予約情報ビットは前記送信電力情報を示すために使用され、又は、インデックスは前記送信電力情報を示すために使用され、
前記ネットワーク機器が前記送信電力情報を取得するステップは、
前記ネットワーク機器が、前記端末機器が送信したメディアアクセス制御の制御エレメントＭＡＣ  ＣＥを受信するステップを含み、前記ＭＡＣ  ＣＥには前記送信電力情報が含まれている
ことを特徴とする請求項３に記載の方法。
【請求項５】
前記ネットワーク機器が前記送信電力情報を取得するステップは、
前記ネットワーク機器が前記測定信号又は測定信号のモードと送信電力との対応関係に基づき、前記送信電力情報を決定するステップを含み、
前記ネットワーク機器が前記測定信号又は前記測定信号のモードと送信電力との対応関係に基づき、前記送信電力情報を決定するステップは、
前記ネットワーク機器が前記測定信号又は前記測定信号のモードと送信電力のレベルとの対応関係に基づき、前記送信電力情報を決定するステップを含む
ことを特徴とする請求項３に記載の方法。
【請求項６】
前記ネットワーク機器が前記測定信号又は前記測定信号のモードと送信電力のレベルとの対応関係に基づき、前記送信電力情報を決定するステップは、
前記ネットワーク機器が前記測定信号のアンテナポートを決定し、前記ネットワーク機器が前記アンテナポートと送信電力との対応関係に基づき、前記送信電力情報を決定するステップ、又は、
前記ネットワーク機器が前記測定信号に対応する時間周波数リソースを決定し、前記ネットワーク機器が時間周波数リソースと送信電力との対応関係に基づき、前記送信電力情報を決定するステップ、又は、
前記ネットワーク機器が前記測定信号に対応するコードワードを決定し、前記ネットワーク機器がコードワードと送信電力との対応関係に基づき、前記送信電力情報を決定するステップを含む
ことを特徴とする請求項５に記載の方法。
【請求項７】
前記ネットワーク機器が、端末機器が送信した測定信号を受信する前に、
前記ネットワーク機器が前記端末機器に初期送信電力、送信電力のインデックス値、測定信号又は測定信号のモードと送信電力又は送信電力のレベルとの対応関係、及び送信電力情報と上り情報における予約情報ビットとの対応関係のうちの少なくとも１つの情報を  送信するステップをさらに含む
ことを特徴とする請求項１〜６のいずれか１項に記載の方法。
【請求項８】
前記ネットワーク機器が前記端末機器に制御情報を送信するステップをさらに含み、前記制御情報は、前記端末機器が前記ネットワーク機器に測定信号及び／又は測定信号関連情報を送信するか否かを指示するためのものである
ことを特徴とする請求項１〜７のいずれか１項に記載の方法。
【請求項９】
端末機器が送信した測定信号を受信するために使用される送受信モジュールと、
前記測定信号に基づき、前記端末機器がハンドオーバを行う必要があるか否かを決定するために使用される決定モジュールと、を備える
ことを特徴とするネットワーク機器。
【請求項１０】
前記決定モジュールは、また、
測定信号関連情報を取得するために使用され、前記測定信号関連情報は、前記測定信号に対応するパラメータの情報を指示するためのものであり、
前記決定モジュールは、
前記測定信号及び前記測定信号関連情報に基づき、前記端末機器がハンドオーバを行う必要があるか否かを決定するために使用される
ことを特徴とする請求項９に記載のネットワーク機器。
【請求項１１】
前記測定信号関連情報は送信電力情報を含み、前記送信電力情報は、前記ネットワーク機器が前記送信電力情報に基づいて前記測定信号の送信電力を決定するために使用され、
ここで、前記決定モジュールは、前記送信電力情報を取得するために使用され、
前記送信電力情報は前記測定信号の送信電力の絶対値を含み、又は、
前記送信電力情報は前記測定信号の送信電力の初期送信電力に対するオフセットを含み、ここで、前記初期送信電力は、前記ネットワーク機器が前記端末機器のために構成した測定信号を送信するための電力であり、又は、
前記送信電力情報は前記端末機器の送信電力マージンを含む
ことを特徴とする請求項１０に記載のネットワーク機器。
【請求項１２】
前記送受信モジュールは、
前記端末機器が上り制御チャネルＰＵＣＣＨを介して送信した上り情報を受信するために使用され、前記上り情報には前記送信電力情報が含まれ、
前記上り情報における予約情報ビットは前記送信電力情報を示すために使用され、又は、インデックスは前記送信電力情報を示すために使用され、
前記送受信モジュールは、
前記端末機器が送信したメディアアクセス制御の制御エレメントＭＡＣ  ＣＥを受信するために使用され、前記ＭＡＣ  ＣＥには前記送信電力情報が含まれている
ことを特徴とする請求項１１に記載のネットワーク機器。
【請求項１３】
前記決定モジュールは、
前記測定信号又は測定信号のモードと送信電力との対応関係に基づき、前記送信電力情報を決定するために使用され、
前記決定モジュールは、
前記測定信号又は前記測定信号のモードと送信電力のレベルとの対応関係に基づき、前記送信電力情報を決定するために使用される
ことを特徴とする請求項１１に記載のネットワーク機器。
【請求項１４】
前記決定モジュールは、
前記測定信号のアンテナポートを決定し、前記アンテナポートと送信電力との対応関係に基づき、前記送信電力情報を決定する、又は、
前記測定信号に対応する時間周波数リソースを決定し、時間周波数リソースと送信電力との対応関係に基づき、前記送信電力情報を決定する、又は、
前記測定信号に対応するコードワードを決定し、コードワードと送信電力との対応関係に基づき、前記送信電力情報を決定するために使用される
ことを特徴とする請求項１３に記載のネットワーク機器。
【請求項１５】
前記送受信モジュールが、端末機器が送信した測定信号を受信する前に、前記送受信モジュールは、また、
前記端末機器に初期送信電力、送信電力のインデックス値、測定信号又は測定信号のモードと送信電力又は送信電力のレベルとの対応関係、及び送信電力情報と上り情報における予約情報ビットとの対応関係のうちの少なくとも１つの情報を送信するために使用される
ことを特徴とする請求項９〜１４のいずれか１項に記載のネットワーク機器。
【請求項１６】
前記送受信モジュールは、また、
前記端末機器に制御情報を送信するために使用され、前記制御情報は、前記端末機器が前記ネットワーク機器に測定信号及び／又は測定信号関連情報を送信するか否かを指示するためのものである
ことを特徴とする請求項９〜１５のいずれか１項に記載のネットワーク機器。
【国際調査報告】
2019535173.tif 000012
2019535173.tif 000013
2019535173.tif 000014
2019535173.tif 000015